(57)【要約】【課題】通信チャネル数を増加できるベースユニットおよび中継器を提供する。【解決手段】ＤＥＣＴ通信を行うベースユニットは、異なるチャネルを用いて当該ベースユニットの配下の装置と通信を行う第１の無線部および第２の無線部と、配下の装置に送信され、配下の装置が当該ベースユニットにアクセスする際に参照するスロット情報を生成する制御部と、を備え、制御部は、第１の無線部および第２の無線部の少なくとも１つにおいて使用されているスロットのアクセスを制限したスロット情報を生成する。【選択図】図１８
2020096237.tif 000002
【特許請求の範囲】
【請求項１】
ＤＥＣＴ（Digital Enhanced Cordless Telecommunications）通信を行うベースユニットであって、
異なるチャネルを用いて当該ベースユニットの配下の装置と通信を行う第１の無線部および第２の無線部と、
前記配下の装置に送信され、前記配下の装置が当該ベースユニットにアクセスする際に参照するスロット情報を生成する制御部と、
を備え、
前記制御部は、前記第１の無線部および前記第２の無線部の少なくとも１つにおいて使用されているスロットのアクセスを制限した前記スロット情報を生成する、
ベースユニット。
【請求項２】
前記制御部は、前記配下の装置がアクセスできる空きスロットが無くなった場合、前記第１の無線部および前記第２の無線部のうちの１つにおいて使用されているスロットのアクセス制限を解除する、
請求項１に記載のベースユニット。
【請求項３】
前記制御部は、前記配下の装置が、或るスロットにおいて前記第１の無線部が使用しているチャネルと同一スロットで隣接する周波数に対しアクセス要求をした場合、前記アクセス要求を拒否し、または、前記配下の装置が、或るスロットにおいて前記第２の無線部が使用しているチャネルと同一スロットで隣接する周波数に対しアクセス要求をした場合、前記アクセス要求を拒否する、
請求項２に記載のベースユニット。
【請求項４】
前記制御部は、前記第１の無線部および前記第２の無線部の同一スロットにおける受信信号の受信電力に基づいて、前記第１の無線部と通信する前記配下の装置の送信電力を制御する、
請求項１から３のいずれか一項に記載のベースユニット。
【請求項５】
前記制御部は、前記第１の無線部が使用する周波数と前記第２の無線部が使用する周波数との距離によって、前記第１の無線部と通信する前記配下の装置の送信電力を制御する、
請求項４に記載のベースユニット。
【請求項６】
前記制御部は、前記第１の無線部が使用する周波数と前記第２の無線部が使用する周波数とが近い程、前記第１の無線部および前記第２の無線部の同一スロットにおける受信信号の受信電力の差が小さくなるように、前記第１の無線部と通信する前記配下の装置の送信電力を制御する、
請求項５に記載のベースユニット。
【請求項７】
前記制御部は、前記第１の無線部に対応する第１の制御部と、前記第２の無線部に対応する第２の制御部とを、有し、
前記第１の制御部は、前記第１の無線部の通信における各スロットの各周波数の状態を示した第１のチャネルリストを管理し、前記配下の装置が前記第１の無線部にアクセスする際に参照する第１のスロット情報を生成し、
前記第２の制御部は、前記第２の無線部の通信における各スロットの各周波数の状態を示した第２のチャネルリストを管理し、前記配下の装置が前記第２の無線部にアクセスする際に参照する第２のスロット情報を生成する、
請求項１から６のいずれか一項に記載のベースユニット。
【請求項８】
前記第１の制御部および前記第２の制御部は、互いのスーパーフレームおよびビットカウンタを同期させ、互いのチャネルリストを共有する、
請求項７に記載のベースユニット。
【請求項９】
前記第１の制御部および前記第２の制御部は、前記配下の装置の登録情報を交互に受け付ける、
請求項７に記載のベースユニット。
【請求項１０】
前記第１の無線部に接続される第１のアンテナおよび前記第２の無線部に接続される第２のアンテナは、距離が遠くなるように当該ベースユニットの筐体に設けられ、
前記第１のアンテナおよび前記第２のアンテナは、互いに向き合う方向にアンテナ指向性のヌル点を有するよう設計される、
請求項１から９のいずれか一項に記載のベースユニット。
【請求項１１】
前記第１の無線部は、前記第２の無線部から流入する信号を抑制する第１のアイソレータと、
前記第２の無線部は、前記第１の無線部から流入する信号を抑制する第２のアイソレータと、を有する、
請求項１０に記載のベースユニット。
【請求項１２】
ＤＥＣＴ通信を行う中継器であって、
異なるチャネルを用いて当該中継器の配下の装置と通信を行う第１の無線部および第２の無線部と、
前記配下の装置に送信され、前記配下の装置が当該中継器にアクセスする際に参照するスロット情報を生成する制御部と、
を備え、
前記制御部は、前記第１の無線部および前記第２の無線部の少なくとも１つにおいて使用されているスロットのアクセスを禁止した前記スロット情報を生成する、
中継器。
【発明の詳細な説明】
【技術分野】
【０００１】
本開示は、ベースユニットおよび中継器に関する。
【背景技術】
【０００２】
デジタルコードレス電話機の通信方式として、ＤＥＣＴ（Digital Enhanced Cordless Telecommunications）方式がある。特許文献１には、ＤＥＣＴ方式を用いたコードレス電話機が開示されている。特許文献１のコードレス電話機は、通話品質の劣化が使用者に認識される前にチャネルを自動的に切り替え、通話品質を劣化させないようにしている。
【先行技術文献】
【特許文献】
【０００３】
【特許文献１】特開２０１７−０１７４６２号公報
【発明の概要】
【発明が解決しようとする課題】
【０００４】
ＤＥＣＴ方式のダウンリンクおよびアップリンクのそれぞれにおける通信チャネル数は、狭帯域音声通話の場合、親機一台あたり１２チャネルであり、広帯域音声通話の場合、親機一台当たり６チャネルである。市場からは、通信チャネル数を増加することが要望されている。
【０００５】
本開示の非限定的な実施例は、通信チャネル数を増加できるベースユニットおよび中継器の提供に資する。
【課題を解決するための手段】
【０００６】
本開示の一態様に係るベースユニットは、ＤＥＣＴ通信を行うベースユニットであって、異なるチャネルを用いて当該ベースユニットの配下の装置と通信を行う第１の無線部および第２の無線部と、前記配下の装置に送信され、前記配下の装置が当該ベースユニットにアクセスする際に参照するスロット情報を生成する制御部と、を備え、前記制御部は、前記第１の無線部および前記第２の無線部の少なくとも１つにおいて使用されているスロットのアクセスを制限した前記スロット情報を生成する。
【０００７】
本開示の一態様に係る中継器は、ＤＥＣＴ通信を行う中継器であって、異なるチャネルを用いて当該中継器の配下の装置と通信を行う第１の無線部および第２の無線部と、前記配下の装置に送信され、前記配下の装置が当該中継器にアクセスする際に参照するスロット情報を生成する制御部と、を備え、前記制御部は、前記第１の無線部および前記第２の無線部の少なくとも１つにおいて使用されているスロットのアクセスを禁止した前記スロット情報を生成する。
【０００８】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示の一態様によれば、通信チャネル数を増加できる。
【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】第１の実施の形態に係るコードレス電話システムの構成例を示した図
【図２】ＤＥＣＴ方式のフレーム構成例を示した図
【図３】ダウンリンクにおけるベースユニットおよび中継器のタイムスロットの一例を説明する図
【図４】ダウンリンクにおけるベースユニットおよび中継器のタイムスロットの一例を説明する図
【図５】ダウンリンクにおけるベースユニットおよび中継器のタイムスロットの一例を説明する図
【図６】ベースユニットのブロック構成例を示した図
【図７】ベースユニットの制御部のブロック構成例を示した図
【図８】中継器のブロック構成例を示した図
【図９】中継器の制御部のブロック構成例を示した図
【図１０】図１のコードレス電話システムにおけるダウンリンクのタイムスロットの一例を説明する図
【図１１】第２の実施の形態に係るコードレス電話システムの構成例を示した図
【図１２】図１１のコードレス電話システムにおけるダウンリンクのタイムスロットの一例を説明する図
【図１３】親機および中継器のアクセス制限の一例を説明する図
【図１４】フルスロット、ロングスロット、およびハーフスロットを説明する図
【図１５】第３の実施の形態に係るコードレス電話システムにおけるダウンリンクのタイムスロットの一例を説明する図
【図１６】親機および中継器のアクセス制限の一例を説明する図
【図１７】第４の実施の形態に係るコードレス電話システムの構成例を示した図
【図１８】ベースユニットのブロック構成例を示した図
【図１９】ベースユニットの制御部のブロック構成例を示した図
【図２０】図１７のコードレス電話システムにおけるＤＥＣＴ方式のフレーム構成例を示した図
【図２１】ダウンリンクにおけるチャネルリストの例を説明する図
【図２２】アクセス禁止の解除を説明する図
【図２３】コードレス電話システムの構成例を示した図
【図２４】電力制御の説明に用いるパラメータを示した図
【図２５Ａ】制御部の子機に対する送信電力制御の一例を示したフローチャート
【図２５Ｂ】制御部の子機に対する送信電力制御の一例を示したフローチャート
【図２６】チャネル変更処理の説明に用いるパラメータを示した図
【図２７】チャネル変更処理の一例を示したフローチャート
【図２８】第５の実施の形態に係るコードレス電話システムの構成例を示した図
【図２９】図２８のコードレス電話システムにおけるＤＥＣＴ方式のフレーム構成例を示した図
【図３０】親機および中継器のアクセス制限の一例を説明する図
【図３１】親機および中継器のアクセス制限の一例を説明する図
【図３２】第６の実施の形態に係るベースユニットのブロック構成例を示した図
【図３３】制御部の同期を説明する図
【図３４】中継器のブロック構成例を示した図
【図３５】第７の実施の形態に係るコードレス電話システムの一例を示した図
【図３６】子機の登録例を説明する図
【図３７】子機の登録例を説明する図
【図３８】無線部のブロック構成例を示した図
【図３９】スプリアスを説明する図
【図４０】無線部のブロック構成例を示した図
【図４１】第８の実施の形態に係るベースユニットの外観の一例を示した図
【図４２】図４１のベースユニットを上方から見た図
【発明を実施するための形態】
【００１２】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、添付図面および以下の説明は、当業者が本開示を十分に理解するために、提供されるのであって、これらにより特許請求の範囲に記載の主題を限定することは意図されていない。
【００１４】
（第１の実施の形態）
図１は、第１の実施の形態に係るコードレス電話システムの構成例を示した図である。図１に示すように、コードレス電話システムは、ベースユニット１と、中継器２と、コードレス電話機３，４と、を有している。コードレス電話システムは、例えば、オフィスや住宅などに設置される。ベースユニット１は、例えば、基地局と呼ばれてもよいし、親機と呼ばれてもよい。コードレス電話機３，４は、例えば、ハンドセットと呼ばれてもよいし、子機と呼ばれてもよい。
【００１５】
ベースユニット１、中継器２、およびコードレス電話機３，４は、ＤＥＣＴ方式に準拠したＴＤＭＡ（Time Division Multiple Access）方式の無線通信を行う。ベースユニット１、中継器２、およびコードレス電話機３，４は、例えば、１．８ＧＨｚ帯の電波または１．９ＧＨｚ帯の電波を用いて、無線通信を行う。
【００１６】
ベースユニット１は、Ｅｔｈｅｒｎｅｔ（登録商標）またはＰＳＴＮ（Public Switched Telephone Network）を介して、交換機またはサーバ（図示せず）に接続されている。コードレス電話機３は、ベースユニット１を介して、他の電話機と通話できる。コードレス電話機４は、中継器２およびベースユニット１を介して、他の電話機と通話できる。
【００１７】
ベースユニット１は、奇数スロット（奇数番号のスロット）を用いて、配下にあるコードレス電話機３と通信する。また、ベースユニット１は、偶数スロット（偶数番号のスロット）を用いて、配下にある中継器２と通信する。
【００１８】
中継器２は、ベースユニット１との通信に用いる偶数スロットと重ならないように、奇数スロットを用いて、配下のコードレス電話機４と通信する。中継器２は、親機および子機の両方の機能を有していると捉えることができる。例えば、中継器２は、ベースユニット１に対して子機であり、コードレス電話機４に対して親機と捉えることができる。
【００１９】
このように、コードレス電話システムは、ベースユニット１とコードレス電話機３とが通信に用いることができるスロットと、ベースユニット１と中継器２とが通信に用いることができるスロットとを分ける（例えば、上記したように奇数スロットと偶数スロットとに分ける）。これにより、コードレス電話システムは、同時通話数の低減を抑制する。
【００２０】
なお、ベースユニット１は、偶数スロットを用いてコードレス電話機３と通信してもよい。この場合、ベースユニット１は、奇数スロットを用いて中継器２と通信する。中継器２は、偶数スロットを用いてコードレス電話機４と通信する。
【００２１】
また、図１には、ベースユニット１と無線通信するコードレス電話機として、１台のコードレス電話機３しか示していないが、複数存在してもよい。また、中継器２を介してベースユニット１と無線通信するコードレス電話機として、１台のコードレス電話機４しか示していないが、複数存在してもよい。
【００２２】
図２は、ＤＥＣＴ方式のフレーム構成例を示した図である。以下では、図中においてスロットを「Ｓｌｔ」と示す場合がある。
【００２３】
ＤＥＣＴ方式では、１０ｍｓの１フレームに、スロット０からスロット２３の２４個のタイムスロットが含まれる。１０ｍｓの１フレームは、５ｍｓのダウンリンクのフレームと、５ｍｓのアップリンクのフレームとに分けられる。ダウンリンクのフレームには、スロット０からスロット１１の１２個のタイムスロットが含まれ、アップリンクのフレームには、スロット１２からスロット２３の１２個のタイムスロットが含まれる。
【００２４】
子機は、狭帯域音声通話の場合、１２個のダウンリンクスロットのうちの１つのスロットと、１２個のアップリンクスロットのうちの１つのスロットとの１スロットペアを用いて、親機と無線通信を行う。ダウンリンクスロットとアップリンクスロットのペアの組み合わせは、例えば、SltNとSltN+12(N=0,1,2, …,11)に固定してよい。従って、親機は、狭帯域音声通話の場合、最大１２台の子機と同時通話（通信）が可能である。
【００２５】
子機は、通話開始前にチャネルスキャンを実行し、通信条件の良いチャネル（タイムスロットおよび周波数）を選択して、親機と通信を開始する。例えば、親機は、定期的に自身の情報をブロードキャスト送信するビーコン信号において、ブラインドスロット（Blind Slot）情報を配下の子機に送信する。ブラインドスロット情報では、既に使用中のスロットが、ブラインド（アクセス不可）スロットとして通知される。
【００２６】
子機は、ブラインドスロット情報を参照し、他の通信に使用されていない空きスロット（子機がアクセス要求できるスロット）の中から、通信に用いるスロットを選択する。子機は、選択したスロットの中から通信に使用する周波数を選択し、親機に対してアクセス要求を送信して通信を開始する。中継器に対しても同様に、子機は、通話開始前にチャネルスキャンを実行し、通信条件の良いチャネルを選択して、中継器と通信を開始する。
【００２７】
図３は、ダウンリンクにおけるベースユニットおよび中継器のタイムスロットの一例を説明する図である。図３に示す親機は、配下に中継器を収容している。中継器は、配下に子機１〜６を収容している。
【００２８】
中継器は、親機から送信されたダウンリンク信号を中継する。中継器は、親機からダウンリンク信号を受信したスロットとは別のスロットを用いて、親機から受信したダウンリンク信号を子機に送信する。例えば、中継器は、親機からスロット０で受信したダウンリンク信号を、スロット０とは別のスロット１で子機１に送信する。
【００２９】
このように、中継器は、ダウンリンク信号を中継する場合、親機からダウンリンク信号を受信するスロットと、子機にダウンリンク信号を送信するスロットとの２つのスロットを使用する。このため、中継器を介した通信では、親機は、最大６台の子機と同時通話が可能である。
【００３０】
親機と中継器との間の通信と、中継器と子機との間の通信とは、図３に示すような隣接したスロットを用いた通信に限られない。親機と中継器との間の通信と、親機と子機との間の通信とは、自由なスロットの組み合わせで通信してもよい。
【００３１】
図３に示すように、中継器がダウンリンク信号を子機に送信しているスロットでは、中継器は親機と通信することは出来ないので、親機では空きスロットとなっている。例えば、図３の例の場合、スロット１，３，５，７，９，１１が空きスロットとなっている。
【００３２】
図４は、ダウンリンクにおけるベースユニットおよび中継器のタイムスロットの一例を説明する図である。図４に示す親機は、配下に中継器と子機７〜１２とを収容している。中継器は、配下に子機１〜６を収容している。
【００３３】
図３で説明したように、中継器がダウンリンク信号を子機に送信しているスロットは、親機では空きスロットとなっており、他の通信に利用できる。図４では、親機は、このようなスロットにおいて、子機７〜１２にダウンリンク信号を送信する。例えば、親機は、スロット１を用いて、子機７にダウンリンク信号を送信する。また、親機は、スロット３を用いて、子機８にダウンリンク信号を送信する。
【００３４】
すなわち、親機は、中継器経由で６台の子機１〜６と同時通話している状態においても、配下にある６台の子機７〜１２と同時通話できる。つまり、親機は、１２台の子機と同時通話できる。
【００３５】
図５は、ダウンリンクにおけるベースユニットおよび中継器のタイムスロットの一例を説明する図である。図５に示す親機は、配下に中継器と子機７〜１２とを収容している。中継器は、配下に子機１〜６を収容している。
【００３６】
中継器は、ダウンリンク信号を子機に送信しているとき、親機からダウンリンク信号を受信できない。つまり、親機は、中継器がダウンリンク信号を子機に送信しているとき、ダウンリンク信号を中継器に送信できない。例えば、中継器は、スロット１においてダウンリンク信号を子機１に送信している。従って、親機は、スロット１においてダウンリンク信号を中継器に送信できない。
【００３７】
これに対し、親機は、中継器がダウンリンク信号を子機に送信しているとき、親機に収容されている子機に対し、ダウンリンク信号を送信できる。例えば、親機は、スロット１において、ダウンリンク信号を子機７〜１２に送信できる。
【００３８】
しかし、図５の例では、スロット２において子機７がアクセス要求をし、親機は、スロット２において、ダウンリンク信号を子機７に送信する。このため、中継器のスロット２は、空きスロットとなる。仮に、スロット１において子機７がアクセス要求をし、親機がスロット２においてダウンリンク信号を送信すると、中継器は、空きスロット２において、親機からダウンリンク信号を受信できる。
【００３９】
このように、使用するスロットの組み合わせによっては、親機と中継とのそれぞれに空きスロットが存在しても、親機と中継器との間で通信できるスロットが減少する。例えば、親機と中継器との空きスロットに不一致が生じた場合、親機と中継器との間で通信できるスロットが減少する。このため、中継器経由によるコードレス電話システムにおいては、同時通話数（通話チャネル数）が減ってしまう場合がある。
【００４０】
そこで、図１のベースユニット１は、ベースユニット１の配下にあるコードレス電話機３に送信する第１のスロット情報（ブラインドスロット情報）と、中継器２に送信する第２のスロット情報（ブラインドスロット情報）とを生成する。
【００４１】
コードレス電話機３に送信される第１のスロット情報では、既に他の通信で使用中（それ以上のアクセスは禁止）のスロットに加えて、コードレス電話機３のベースユニット１へのアクセスが制限されるスロットの情報が、新たにブラインドに設定される。中継器２に送信される第２のスロット情報では、既に他の通信で使用中の、アクセス禁止スロットに加えて、中継器２のベースユニット１へのアクセスが制限されるスロットの情報が、新たにブラインドに設定される。
【００４２】
コードレス電話機３のベースユニット１へのアクセスが制限されるスロットと、中継器２のベースユニット１へのアクセスが制限されるスロットとは異なる。例えば、コードレス電話機３のベースユニット１へのアクセスが制限されるスロットは、偶数スロットである。中継器２のベースユニット１へのアクセスが制限されるスロットは、奇数スロットである。すなわち、コードレス電話機３は、奇数スロットを用いてベースユニット１にアクセスし、中継器２は、偶数スロットを用いてベースユニット１にアクセスする。
【００４３】
中継器２は、中継器２の配下にあるコードレス電話機４に送信する第３のスロット情報（ブラインドスロット情報）を生成する。コードレス電話機４に送信される第３のスロット情報には、他の通信で使用中のスロットの情報と、コードレス電話機４の中継器２へのアクセスが制限されるスロット情報が含まれる。
【００４４】
コードレス電話機４の中継器２へのアクセスが制限されるスロットと、中継器２のベースユニット１へのアクセスが制限されるスロットとは、異なる。例えば、中継器２のベースユニット１へのアクセスが制限されるスロットは、上記例では、奇数スロットである。従って、コードレス電話機４の中継器２へのアクセスが制限されるスロットは、偶数スロットとなる。
【００４５】
上記では、ダウンリンク信号について説明したがアップリンク信号についても同様である。
【００４６】
図６は、ベースユニット１のブロック構成例を示した図である。図６に示すように、ベースユニット１は、制御部１１と、無線部１２と、インタフェース部１３と、を有している。
【００４７】
制御部１１は、ベースユニット１全体を制御する。また、制御部１１は、ベースバンド処理を行う。制御部１１は、例えば、ＣＰＵ（Central Processing Unit）およびＤＳＰ（Digital Signal Processor）のいずれか一方または両方で構成されてもよい。制御部１１は、メインプロセッサ・ベースバンド部と呼ばれてもよい。
【００４８】
無線部１２は、アンテナを介して、アップリンク信号を受信する。無線部１２は、受信したアップリンク信号に対して、増幅およびダウンコンバート等の処理を行う。無線部１２は、増幅およびダウンコンバート等の処理を行ったアップリンク信号を制御部１１に出力する。
【００４９】
無線部１２には、制御部１１から出力されるダウンリンク信号が入力される。無線部１２は、入力されたダウンリンク信号に対して、増幅およびアップコンバート等の処理を行う。無線部１２は、増幅およびアップコンバート等の処理を行ったダウンリンク信号を、アンテナを介して、配下にある中継器２またはコードレス電話機３に送信する。
【００５０】
インタフェース部１３は、交換機またはサーバとの間の通信制御を行う。例えば、インタフェース部１３は、制御部１１から出力されるデータ（中継器２またはコードレス電話機３から受信した信号）を交換機またはサーバに送信する。また、インタフェース部１３は、交換機またはサーバから送信されたデータ（中継器２またはコードレス電話機３に送信する信号）を受信し、制御部１１に出力する。
【００５１】
図７は、ベースユニット１の制御部１１のブロック構成例を示した図である。図７に示すように、ベースユニット１の制御部１１は、コーデック部２１と、変調部２２と、生成部２３と、復調部２４と、誤り検出部２５と、記憶部２６と、を有している。
【００５２】
コーデック部２１は、インタフェース部１３から出力される音声データ（ダウンリンク信号）を符号化（圧縮）する。コーデック部２１は、符号化した音声データを変調部２２に出力する。
【００５３】
また、コーデック部２１は、復調部２４で復調された音声データ（アップリンク信号）を復号化（伸張）する。コーデック部２１は、復号した音声データをインタフェース部１３に出力する。
【００５４】
変調部２２は、コーデック部２１によって符号化された音声データを変調する。また、変調部２２は、その他のデータ（例えば、制御データ、ＣＲＣ（Cyclic Redundancy Checking）データ等）を変調する。
【００５５】
生成部２３は、第１のスロット情報および第２のスロット情報を生成する。生成部２３は、生成した第１のスロット情報および第２のスロット情報を無線部１２に出力する。無線部１２に出力された第１のスロット情報は、ベースユニット１の配下にあるコードレス電話機３に送信される。無線部１２に出力された第２のスロット情報は、ベースユニット１の配下にある中継器２に送信される。
【００５６】
復調部２４は、無線部１２から出力される、中継器２またはコードレス電話機３から送信された信号（アップリンク信号）を復調する。復調された信号（データ）に含まれる音声データは、コーデック部２１に出力され、復号化される。
【００５７】
誤り検出部２５は、復調部２４で復調されたデータの誤りを検出する。例えば、誤り検出部２５は、復調部２４で復調されたデータの誤りを、ＣＲＣにより検出する。
【００５８】
記憶部２６には、例えば、制御部１１が動作するためのプログラムが記憶される。また、記憶部２６には、制御部１１が計算処理を行うためのデータまたはベースユニット１の各部を制御するためのデータが記憶される。記憶部２６は、制御部１１の外にあってもよい。
【００５９】
図８は、中継器２のブロック構成例を示した図である。図８に示すように、中継器２は、制御部３１と、無線部３２と、を有している。
【００６０】
制御部３１は、中継器２全体を制御する。また、制御部３１は、ベースバンド処理を行う。制御部３１は、例えば、ＣＰＵおよびＤＳＰのいずれか一方または両方で構成されてもよい。制御部３１は、メインプロセッサ・ベースバンド部と呼ばれてもよい。
【００６１】
無線部３２は、アンテナを介して、コードレス電話機４から送信されたアップリンク信号を受信する。無線部３２は、受信したアップリンク信号に対して、増幅およびダウンコンバート等の受信処理を行う。無線部３２は、受信処理したアップリック信号を制御部３１に出力する。
【００６２】
無線部３２には、制御部３１から出力されるアップリンク信号（ベースユニット１に送信する信号）が入力される。無線部３２は、入力されたアップリンク信号に対して、増幅およびアップコンバート等の送信処理を行う。無線部３２は、送信処理したアップリンク信号を、アンテナを介して、ベースユニット１に送信する。
【００６３】
無線部３２は、アンテナを介して、ベースユニット１から送信されたダウンリンク信号を受信する。無線部３２は、受信したダウンリンク信号に対して、増幅およびダウンコンバート等の受信処理を行う。無線部３２は、受信処理したダウンリンク信号を制御部３１に出力する。
【００６４】
無線部３２には、制御部３１から出力されるダウンリンク信号（コードレス電話機４に送信する信号）が入力される。無線部３２は、入力されたダウンリンク信号に対して、増幅およびアップコンバート等の送信処理を行う。無線部３２は、送信処理したダウンリンク信号を、アンテナを介して、コードレス電話機４に送信する。
【００６５】
図９は、中継器２の制御部３１のブロック構成例を示した図である。図９に示すように、中継器２の制御部３１は、生成部４１と、記憶部４２と、を有している。
【００６６】
生成部４１は、第３のスロット情報を生成する。生成部４１は、生成した第３のスロット情報を無線部３２に出力する。無線部３２に出力された第３のスロット情報は、中継器２の配下にあるコードレス電話機４に送信される。
【００６７】
記憶部４２には、例えば、制御部３１が動作するためのプログラムが記憶される。また、記憶部４２には、制御部３１が計算処理を行うためのデータまたは中継器２の各部を制御するためのデータが記憶される。記憶部４２は、制御部３１の外にあってもよい。
【００６８】
図１０は、図１のコードレス電話システムにおけるダウンリンクのタイムスロットの一例を説明する図である。図１０に示す親機は、図１に示したベースユニット１に対応する。図１０に示す中継器は、図１に示した中継器２に対応する。
【００６９】
図１０に示す子機１〜３は、図１０に示す親機の配下にあるコードレス電話機を示している。図１０に示す子機４，５は、図１０に示す中継器の配下にあるコードレス電話機を示している。
【００７０】
図１０の矢印Ａ１に示す通知１は、第１のスロット情報に対応する。矢印Ａ１に示す通知１は、ベースユニット１の制御部１１（生成部２３）によって生成される。図１０の矢印Ａ２に示す通知２は、第２のスロット情報に対応する。矢印Ａ２に示す通知２は、ベースユニット１の制御部１１（生成部２３）によって生成される。図１０の矢印Ａ３に示す通知１は、第３のスロット情報に対応する。矢印Ａ３に示す通知１は、中継器２の制御部３１（生成部４１）によって生成される。
【００７１】
通知１は、子機を対象としたブラインドスロット情報である。例えば、図１０の矢印Ａ１に示す通知１は、親機から子機１〜３に送信されるブラインドスロット情報である。また、図１０の矢印Ａ３に示す通知１は、中継器から子機４，５に送信されるブラインドスロット情報である。
【００７２】
通知２は、中継器を対象としたブラインドスロット情報である。例えば、図１０の矢印Ａ２に示す通知２は、親機から中継器に送信されるブラインドスロット情報である。
【００７３】
親機は、偶数スロットの使用を制限した通知１を生成する。例えば、親機は、スロット０，２，４，６，８，１０をブラインド（アクセス制限）した通知１を生成する。従って、親機の配下にある子機１〜３は、奇数スロット１，３，５，７，９，１１のうちの空きスロット（ブラインドされていないスロット）を選択して、親機からダウンリンク信号を受信する。すなわち、親機の配下にある子機１〜３は、奇数スロット１，３，５，７，９，１１のうち、他の子機１〜３に使用されていない（他の子機１〜３の使用によってアクセス要求が禁止されていない）奇数スロットにアクセス要求をし、親機からダウンリンク信号を受信する。
【００７４】
なお、親機の配下にある子機１〜３は、図１０の矢印Ａ１１ａ〜Ａ１１ｃに示すように、アクセス制限がされていない奇数スロット１，７，１１において親機にアクセス要求をし、ダウンリンク信号を受信している。従って、親機の通知１，２の奇数スロット１，７，１１は、ブラインドされている。
【００７５】
親機は、通知１において使用制限した偶数スロットと重ならない奇数スロットの使用を制限した通知２を生成する。例えば、親機は、スロット１，３，５，７，９，１１をブラインドした通知２を生成する。従って、親機の配下にある中継器は、偶数スロット０，２，４，６，８，１０のうちの空きスロットを選択して、親機からダウンリンク信号を受信する。
【００７６】
なお、親機の配下にある中継器は、図１０の矢印Ａ１２ａ，Ａ１２ｂに示すように、アクセス制限がされていない偶数スロット２，４において親機にアクセス要求をし、ダウンリンク信号を受信している。従って、親機の通知１，２の偶数スロット２，４は、ブラインドされている。
【００７７】
中継器は、親機からの通知２により、使用が制限された奇数スロットとは異なる偶数スロットの使用を制限した通知１を生成する。例えば、中継器は、スロット０，２，４，６，８，１０をブラインドした通知１を生成する。従って、中継器の配下にある子機４，５は、奇数スロット１，３，５，７，９，１１のうちの空きスロットを選択してアクセス要求をし、中継器からダウンリンク信号を受信する。
【００７８】
なお、中継器の配下にある子機４，５は、図１０の矢印Ａ１３ａ，Ａ１３ｂに示すように、アクセス制限がされていない奇数スロット１，５において中継器にアクセス要求をし、ダウンリンク信号を受信している。従って、中継器の通知１の奇数スロット１，５は、ブラインドされている。また、中継器は、図１０の矢印Ａ１２ａ，Ａ１２ｂに示すように、アクセス制限がされていない偶数スロット２，４において親機にアクセス要求をし、ダウンリンク信号を受信している。従って、中継器の通知１の偶数スロット２，４は、ブラインドされている。
【００７９】
親機は、配下にある子機のアクセスできるスロットが無くなった場合、アクセス制限を解除してもよい。例えば、奇数スロットの全てが、子機によって使用された場合、親機は、通知１によってアクセス制限した偶数スロットを解除してもよい（通知１の偶数スロットのブラインドを解除してもよい）。これにより、親機の配下にある子機は、偶数スロットにもアクセスできる。
【００８０】
また、親機は、配下にある中継器のアクセスできるスロットが無くなった場合、アクセス制限を解除してもよい。例えば、偶数スロットの全てが、中継器によって使用された場合、親機は、通知２によってアクセス制限した奇数スロットを解除してもよい（通知２の奇数スロットのブラインドを解除してもよい）。これにより、親機の配下にある中継器は、奇数スロットにもアクセスできる。
【００８１】
また、中継器は、配下にある子機のアクセスできるスロットが無くなった場合、アクセス制限を解除してもよい。例えば、奇数スロットの全てが、子機によって使用された場合、中継器は、通知１によってアクセス制限した偶数スロットを解除してもよい（通知１の偶数スロットのブラインドを解除してもよい）。これにより、中継器の配下にある子機は、偶数スロットにもアクセスできる。
【００８２】
以上説明したように、ベースユニット１の制御部１１は、配下にあるコードレス電話機３がベースユニット１にアクセスできるスロットを示した通知１（第１のスロット情報）と、配下にある中継器２がベースユニット１にアクセスできるスロットを示した通知２（第２のスロット情報）とを生成する。その際、制御部１１は、偶数スロットへのアクセス要求を制限した通知１を生成し、奇数スロットへのアクセス要求を制限した通知２を生成する。無線部１２は、通知１をコードレス電話機３に送信し、通知２を中継器２に送信する。これにより、ベースユニット１は、コードレス電話機の通話チャネル数の低減を抑制できる。
【００８３】
なお、上記では、ダウンリンクの例について説明したが、アップリンクの場合も同様である。
【００８４】
また、アクセス制限するスロットの区分けは、偶数スロットおよび奇数スロットに限られない。例えば、ベースユニット１は、所定時間内（例えば、１フレーム内）における複数のスロットのうちの第１のスロット群へのアクセスを制限した通知１を生成し、前記複数のスロットのうちの第１のスロット群を除いた残りの第２のスロット群へのアクセスを制限した通知２を生成してもよい。より具体的には、ベースユニット１は、ダウンリンクのスロット０〜１１のうちのスロット０，１，４，５，８，９（第１のスロット群）へのアクセスを制限した通知１を生成してもよい。また、ベースユニット１は、ダウンリンクのスロット０〜１１のうちの第１のスロット群を除いたスロット２，３，６，７，１０，１１（第２のスロット群）へのアクセスを制限した通知２を生成してもよい。
【００８５】
また、通知１のアクセス制限された偶数スロットおよび通知２のアクセス制限された奇数スロットは、予約スロットと呼ばれてもよい。
【００８６】
（第２の実施の形態）
第２の実施の形態では、中継器がカスケード接続される場合について説明する。
図１１は、第２の実施の形態に係るコードレス電話システムの構成例を示した図である。図１１において、図１と同じものには同じ符号が付してある。図１１に示すように、中継器２，５１，５２は、ベースユニット１を先頭（０段目）とし、カスケード接続されている。例えば、ベースユニット１の配下には、中継器２が配置されている。中継器２の配下には、中継器５１が配置されている。中継器５１の配下には、中継器５２が配置されている。中継器５１，５２は、図８および図９で示したブロック構成と同様のブロック構成を有している。
【００８７】
コードレス電話機４は、中継器５２の配下にある。コードレス電話機４は、ベースユニット１と通信する場合、中継器５２，５１，２を介して、ベースユニット１と通信する。
【００８８】
中継器２，５１，５２は、親機および子機の両方の機能を有していると捉えることができる。例えば、中継器２は、ベースユニット１に対して子機であり、中継器５１に対して親機と捉えることができる。また、中継器５１は、中継器２に対して子機であり、中継器５２に対して親機と捉えることができる。また、中継器５２は、中継器５１に対して子機であり、コードレス電話機４に対して親機と捉えることができる。
【００８９】
ベースユニット１は、奇数スロットを用いて、配下にあるコードレス電話機３と通信する。また、ベースユニット１は、偶数スロットを用いて、配下にある中継器２と通信する。
【００９０】
中継器２，５１，５２は、奇数段目と偶数段目とで使用するスロットを反転する。例えば、ベースユニット１の配下にある１段目の中継器２は、ベースユニット１と偶数スロットを用いて通信する。従って、中継器２は、奇数スロットを用いて中継器５１と通信する。
【００９１】
また、中継器２の配下にある２段目の中継器５１は、中継器２と奇数スロットを用いて通信する。従って、中継器５１は、偶数スロットを用いて配下の中継器５２と通信する。
【００９２】
また、中継器５１の配下にある３段目の中継器５２は、中継器５１と偶数スロットを用いて通信する。従って、中継器５２は、奇数スロットを用いて配下のコードレス電話機４と通信する。
【００９３】
すなわち、中継器２，５１，５２は、上流側（ベースユニット側）に用いるスロットと、下流側（中継器５２側）に用いるスロットとが重ならないように、奇数スロットおよび偶数スロットを反転する。
【００９４】
このように、コードレス電話システムは、ベースユニット１の配下にある中継器２およびコードレス電話機３の使用できるスロットを区別する（例えば、上記したように奇数スロットと偶数スロットとに分ける）。また、中継器２，５１，５２は、接続されている段数に基づいて、通信に用いるスロットを区別する。これにより、コードレス電話システムは、同時通話数の低減を抑制する。
【００９５】
なお、ベースユニット１は、偶数スロットを用いてコードレス電話機３と通信してもよい。この場合、ベースユニット１は、奇数スロットを用いて１段目の中継器２と通信する。１段目の中継器２は、偶数スロットを用いて２段目の中継器５１と通信する。２段目の中継器５１は、奇数スロットを用いて３段目の中継器５２と通信する。３段目の中継器５２は、偶数スロットを用いて配下のコードレス電話機４と通信する。
【００９６】
また、図１１には、ベースユニット１と無線通信するコードレス電話機として、１台のコードレス電話機３しか示していないが、複数存在してもよい。また、中継器５２，５１，２を介してベースユニット１と無線通信するコードレス電話機として、１台のコードレス電話機４しか示していないが、複数存在してもよい。また、中継器２の配下に１台以上のコードレス電話機が存在してもよい。また、中継器５１の配下に１台以上のコードレス電話機が存在してもよい。
【００９７】
中継器２は、図９で説明したように、中継器２の配下にあるコードレス電話機４に送信する第３のスロット情報を生成する。また、中継器２は、中継器２の配下にある中継器５１に送信する第４のスロット情報（ブラインドスロット情報）を生成する。
【００９８】
中継器５１も、中継器５１の配下にあるコードレス電話機に送信する第３のスロット情報と、中継器５１の配下にある中継器５２に送信する第４のスロット情報とを生成する。中継器５２も、中継器５２の配下にあるコードレス電話機４に送信する第３のスロット情報を生成する。中継器５２の配下には、中継器が存在しないが、第４のスロット情報を生成してもよい。
【００９９】
図１２は、図１１のコードレス電話システムにおけるダウンリンクのタイムスロットの一例を説明する図である。図１２に示す親機は、図１１に示したベースユニット１に対応する。図１２に示す中継器１は、図１１に示した中継器２に対応する。図１２に示す中継器２は、図１１に示した中継器５１に対応する。図１２に示す中継器３は、図１１に示した中継器５２に対応する。
【０１００】
図１２に示す子機１は、図１２に示す親機の配下にあるコードレス電話機を示している。図１２に示す子機２は、図１２に示す中継器１の配下にあるコードレス電話機を示している。図１２に示す子機３は、図１２に示す中継器２の配下にあるコードレス電話機を示している。図１２に示す子機４，５は、図１２に示す中継器３の配下にあるコードレス電話機を示している。なお、図１２に示す子機の構成と、図１１の子機の構成は一部異なっている。例えば、図１２に示す子機２，３，５に対応する子機は、図１１には図示されていない。
【０１０１】
通知１は、子機を対象としたブラインドスロット情報である。例えば、図１２の矢印Ａ２１に示す通知１は、親機から子機１に送信されるブラインドスロット情報である。また、図１２の矢印Ａ２３に示す通知１は、中継器１から子機２に送信されるブラインドスロット情報である。また、図１２の矢印Ａ２５に示す通知１は、中継器２から子機３に送信されるブラインドスロット情報である。また、図１２の矢印Ａ２７に示す通知１は、中継器３から子機４，５に送信されるブラインドスロット情報である。図１２の矢印Ａ２３，Ａ２５，Ａ２７に示す通知１は、中継器から配下の子機に送信される第３のスロット情報に対応する。
【０１０２】
通知２は、中継器を対象としたブラインドスロット情報である。例えば、図１２の矢印Ａ２２に示す通知２は、親機から中継器１に送信されるブラインドスロット情報である。また、図１２の矢印Ａ２４に示す通知２は、中継器１から中継器２に送信されるブラインドスロット情報である。また、図１２の矢印Ａ２６に示す通知２は、中継器２から中継器３に送信されるブラインドスロット情報である。また、図１２の矢印Ａ２８に示す通知２は、中継器３から中継器３の配下にある中継器（図１２の例では、存在しない）に送信されるブラインドスロット情報である。図１２の矢印Ａ２４，Ａ２６，Ａ２８に示す通知２は、中継器から配下の中継器に送信される第４のスロット情報に対応する。
【０１０３】
親機は、偶数スロットの使用を制限した通知１を生成する。例えば、親機は、スロット０，２，４，６，８，１０をブラインドした通知１を生成する。従って、親機の配下にある子機１は、奇数スロット１，３，５，７，９，１１のうちの空きスロットを選択して、親機からダウンリンク信号を受信する。すなわち、親機の配下にある子機１は、奇数スロット１，３，５，７，９，１１のうち、他の子機に使用されていない（他の子機の使用によってアクセスが禁止されていない）奇数スロットにアクセスし、親機からダウンリンク信号を受信する。
【０１０４】
なお、親機の配下にある子機１は、図１２の矢印Ａ３１に示すように、アクセス制限がされていない奇数スロット１において親機にアクセス要求をし、ダウンリンク信号を受信している。従って、親機の通知１，２の奇数スロット１は、ブラインドされている。
【０１０５】
親機は、通知１において使用制限した偶数スロットと重ならない奇数スロットの使用を制限した通知２を生成する。例えば、親機は、スロット１，３，５，７，９，１１をブラインドした通知２を生成する。従って、親機の配下にある中継器１は、偶数スロット０，２，４，６，８，１０のうちの空きスロットを選択して、親機からダウンリンク信号を受信する。
【０１０６】
なお、親機の配下にある中継器１は、図１２の矢印Ａ３２ａ〜Ａ３２ｄに示すように、アクセス制限がされていない偶数スロット４，６，８，１０において親機にアクセス要求をし、ダウンリンク信号を受信している。従って、親機の通知１，２の偶数スロット４，６，８，１０は、ブラインドされている。
【０１０７】
中継器１は、親機から使用が制限された奇数スロットと重ならない偶数スロットの使用を制限した通知１，２を生成する。言い換えれば、中継器１は、親機が配下の子機１に対してアクセス制限（偶数制限）した通知１と同じアクセス制限（偶数制限）をした通知１，２を生成する。例えば、中継器１は、スロット０，２，４，６，８，１０をブラインドした通知１，２を生成する。従って、中継器１の配下にある子機２および中継器２は、奇数スロット１，３，５，７，９，１１のうちの空きスロットを選択して、中継器１からダウンリンク信号を受信する。
【０１０８】
なお、中継器１の配下にある子機２は、図１２の矢印Ａ３３ａに示すように、アクセス制限がされていない奇数スロット１において中継器１にアクセス要求をし、ダウンリンク信号を受信している。また、中継器１の配下にある中継器２は、図１２の矢印Ａ３３ｂ〜Ａ３３ｄに示すように、アクセス制限がされていない奇数スロット３，５，７において中継器１にアクセス要求をし、ダウンリンク信号を受信している。従って、中継器１の通知１，２の奇数スロット１，３，５，７は、ブラインドされている。また、中継器１は、図１２の矢印Ａ３２ａ〜Ａ３２ｄに示すように、アクセス制限がされていない偶数スロット４，６，８，１０において親機にアクセス要求をし、ダウンリンク信号を受信している。従って、中継器１の通知１，２の偶数スロット４，６，８，１０は、ブラインドされている。
【０１０９】
中継器２は、中継器１から使用が制限された偶数スロットと重ならない奇数スロットの使用を制限した通知１，２を生成する。例えば、中継器２は、スロット１，３，５，７，９，１１をブラインドした通知１，２を生成する。従って、中継器２の配下にある子機３および中継器３は、偶数スロット０，２，４，６，８，１０のうちの空きスロットを選択して、中継器２からダウンリンク信号を受信する。
【０１１０】
なお、中継器２の配下にある子機３は、図１２の矢印Ａ３４ａに示すように、アクセス制限がされていない偶数スロット１０において中継器１にアクセス要求をし、ダウンリンク信号を受信している。また、中継器２の配下にある中継器３は、図１２の矢印Ａ３４ｂ，Ａ３４ｃに示すように、アクセス制限がされていない偶数スロット２，８において中継器２にアクセス要求をし、ダウンリンク信号を受信している。従って、中継器２の通知１，２の偶数スロット２，８，１０は、ブラインドされている。また、中継器２は、図１２の矢印Ａ３３ｂ〜Ａ３３ｄに示すように、アクセス制限がされていない奇数スロット３，５，７において中継器１にアクセス要求をし、ダウンリンク信号を受信している。従って、中継器２の通知１，２の奇数スロット３，５，７は、ブラインドされている。
【０１１１】
中継器３は、中継器２から使用が制限された奇数スロットと重ならない偶数スロットの使用を制限した通知１，２を生成する。例えば、中継器３は、スロット０，２，４，６，８，１０をブラインドした通知１，２を生成する。従って、中継器３の配下にある子機４，５は、奇数スロット１，３，５，７，９，１１のうちの空きスロットを選択して、中継器３からダウンリンク信号を受信する。
【０１１２】
なお、中継器３の配下にある子機４，５は、図１２の矢印Ａ３５ａ，Ａ３５ｂに示すように、アクセス制限がされていない奇数スロット１，５において中継器３にアクセス要求をし、ダウンリンク信号を受信している。従って、中継器３の通知１，２の奇数スロット１，５は、ブラインドされている。また、中継器３は、図１２の矢印Ａ３４ｂ，Ａ３４ｃに示すように、アクセス制限がされていない偶数スロット２，８において中継器２にアクセス要求をし、ダウンリンク信号を受信している。従って、中継器３の通知１，２の偶数スロット２，８は、ブラインドされている。
【０１１３】
親機および中継器１〜３は、第１の実施の形態と同様に、空きスロットが無くなった場合、アクセス制限を解除してもよい。例えば、中継器１は、奇数スロットの全てが、子機および中継器２によって使用された場合、通知１，２によってアクセス制限した偶数スロットを解除してもよい（通知１，２の偶数スロットのうちアクセスが禁止されたスロットを除く偶数スロットのブラインドを解除してもよい）。これにより、中継器１の配下にある子機２および中継器２は、偶数スロットにもアクセスできる。
【０１１４】
図１３は、親機および中継器のアクセス制限の一例を説明する図である。図１３のレベル０に示すように、親機および中継器は、使用中のスロットの情報を、通知１，２を用いて配下の子機および中継器に通知する。
【０１１５】
また、図１３のレベル１に示すように、親機および中継器は、アクセス制限したスロットの情報を、通知１，２を用いて配下の装置に通知する。例えば、親機は、偶数スロットのアクセスを制限した情報を、通知１を用いて配下の子機に通知する。また、親機は、奇数スロットのアクセスを制限した情報を、通知２を用いて配下の中継器に通知する。また、奇数段目の中継器は、偶数スロットのアクセスを制限した情報を、通知１，２を用いて配下の子機および中継器に通知する。また、偶数段目の中継器は、奇数スロットのアクセスを制限した情報を、通知１，２を用いて配下の子機および中継器に通知する。
【０１１６】
親機および中継器は通常、レベル０およびレベル１で運用している。例えば、親機は、使用中のスロットの情報（レベル０）と、アクセス制限した偶数スロットの情報（レベル１）とを含む通知１を、配下の子機に通知する。また、親機は、使用中のスロットの情報と、アクセス制限した奇数スロットの情報とを含む通知２を、配下の中継器に通知する。
【０１１７】
また、奇数段目の中継器は、使用中のスロットの情報と、アクセス制限した偶数スロットの情報とを含む通知１を、配下の子機に通知する。また、奇数段目の中継器は、使用中のスロットの情報と、アクセス制限した偶数スロットの情報とを含む通知２を、配下の中継器に通知する。
【０１１８】
また、偶数段目の中継器は、使用中のスロットの情報と、アクセス制限した奇数スロットの情報とを含む通知１を、配下の子機に通知する。また、奇数段目の中継器は、使用中のスロットの情報と、アクセス制限した奇数スロットの情報とを含む通知２を、配下の中継器に通知する。
【０１１９】
親機および中継器は、レベル０およびレベル１の運用において、空きスロットが無くなると、レベル１の制限を解除する。すなわち、親機および中継器は、使用中のスロットの情報を含む通知１，２を、配下の子機および中継器に通知する。
【０１２０】
以上説明したように、中継器の制御部は、配下にあるコードレス電話機および配下にある中継器がアクセスできるスロットを示した通知１，２を生成する。その際、中継器の制御部は、中継器がベースユニット１を先頭としたカスケード接続において奇数段目に配置されている場合、ベースユニット１がベースユニット１の配下にあるコードレス電話機のアクセスを制限した第１のスロット群（例えば、偶数スロット）と同じスロット番号のスロット群（偶数スロット）へのアクセスを制限した通知１，２を生成する。また、中継器の制御部は、中継器がベースユニット１を先頭としたカスケード接続において偶数段目に配置されている場合、ベースユニット１がベースユニット１の配下にあるコードレス電話機のアクセスを制限した第１のスロット群（例えば、偶数スロット）を除いた残りの第２のスロット群（奇数スロット）と同じスロット番号のスロット群（奇数スロット）へのアクセスを制限した通知１，２を生成する。これにより、コードレス電話システムは、コードレス電話機の通話チャネル数の低減を抑制できる。
【０１２１】
なお、上記では、ダウンリンクの例について説明したが、アップリンクの場合も同様である。また、アクセス制限するスロットの区分けは、第１の実施の形態と同様に偶数スロットおよび奇数スロットに限られない。
【０１２２】
また、中継器は、カスケード接続の何段目に接続されているか判定し、判定した結果に基づいてアクセス制限するスロット（偶数スロットまたは奇数スロット）を判定してもよい。
【０１２３】
また、第１の実施の形態および第２の実施の形態では、フレームがフルスロット（Full Slot）の場合について説明したが、ロングスロット（Long Slot）およびハーフスロット（Half Slot）においても、本開示を適用できる。
【０１２４】
図１４は、フルスロット、ロングスロット、およびハーフスロットを説明する図である。ＤＥＣＴ方式では、フルスロットのフレームと、ロングスロットのフレームと、ハーフスロットのフレームとの３種類のフレームが規定されている。フルスロットのダウンリンクにおけるフレームは、図１４に示すように、１２個のスロットから構成される。ロングスロットのダウンリンクにおけるフレームは、６個のスロットから構成される。
【０１２５】
ハーフスロットのフレームは、１２個のスロットから構成され、１つのスロットは、さらにＬ＝０とＬ＝１との２つのスロットに分割される。従って、ハーフスロットのフレームは、２４個のスロットから構成される。
【０１２６】
ベースユニット１は、フルスロットにおいて、例えば、コードレス電話機３のアクセスを制限するスロットとして、スロット０，１，４，５，８，９とし、中継器２のアクセスを制限するスロットとして、スロット２，３，６，７，１０，１１としてもよい。このように、アクセス制限するスロットを区分けすると、ロングスロットおよびハーフスロットに対応するソフトウェアの作成が容易となる。
【０１２７】
例えば、ロングスロットのスロット０，４，８を、コードレス電話機３のアクセス制限するスロットとし、ロングスロットのスロット２，６，１０を、中継器２のアクセス制限するスロットとすることができる。また、ハーフスロットのスロット０，１，４，５，８，９を、コードレス電話機３のアクセス制限するスロットとし、ハーフスロットのスロット２，３，６，７，１０，１１を、中継器２のアクセス制限するスロットとすることができる。
【０１２８】
（第３の実施の形態）
第３の実施の形態では、中継器が、ベースユニットとの通信を確保するため、中継器における空きスロットと、ベースユニットにおける空きスロットとが一致する場合、配下のコードレス電話機および中継器に対し、一致した空きスロットのアクセスを制限する。また、中継器が、上流側の中継器との通信を確保するため、中継器における空きスロットと、上流側の中継器における空きスロットとが一致する場合、配下のコードレス電話機および中継器に対し、一致したスロットのアクセスを制限する。以下では、第２の実施の形態と異なる部分について説明する。
【０１２９】
ベースユニット１の制御部１１は、配下のコードレス電話機３および中継器２に送信されるスロット情報（ブラインドスロット情報）を生成する。スロット情報には、使用中のスロット情報が含まれる。
【０１３０】
中継器２の制御部３１は、配下のコードレス電話機３および中継器５１に送信されるスロット情報（ブラインドスロット情報）を生成する。スロット情報には、使用中のスロットの情報と、配下のコードレス電話機および中継器５１へのアクセスが制限されるスロットの情報とが含まれる。中継器５１，５２も、中継器２と同様のスロット情報を生成する。
【０１３１】
図１５は、第３の実施の形態に係るコードレス電話システムにおけるダウンリンクのタイムスロットの一例を説明する図である。図１５に示す親機は、図１１に示したベースユニット１に対応する。図１５に示す中継器１は、図１１に示した中継器２に対応する。図１５に示す中継器２は、図１１に示した中継器５１に対応する。図１５に示す中継器３は、図１１に示した中継器５２に対応する。なお、図１１に示した奇数および偶数は、第３の実施の形態では関係ない。
【０１３２】
図１５に示す子機１〜５は、図１５に示す親機の配下にあるコードレス電話機を示している。図１５に示す子機６は、図１５に示す中継器１の配下にあるコードレス電話機を示している。図１５に示す子機７は、図１５に示す中継器２の配下にあるコードレス電話機を示している。図１５に示す子機８は、図１５に示す中継器３の配下にあるコードレス電話機を示している。
【０１３３】
通知１は、子機および中継器を対象としたブラインドスロット情報である。例えば、図１５の矢印Ａ４１に示す通知１は、親機の配下にある子機１〜５および中継器１に送信されるブラインドスロット情報である。また、図１５の矢印Ａ４２に示す通知１は、中継器１の配下にある子機６および中継器２に送信されるブラインドスロット情報である。また、図１５の矢印Ａ４３に示す通知１は、中継器２の配下にある子機７および中継器３に送信されるブラインドスロット情報である。また、図１５の矢印Ａ４４に示す通知１は、中継器３の配下にある子機８に送信されるブラインドスロット情報である。
【０１３４】
親機は、親機における使用中のスロットの情報を含む通知１を生成する。例えば、親機は、スロット１〜５，８，９，１１が使用中であることを示す通知１を生成する。従って、親機の配下にある子機１〜５および中継器１は、空きスロット０，６，７，１０のいずれかを選択して、親機からダウンリンク信号を受信する。
【０１３５】
なお、親機の配下にある子機１〜５は、図１５の矢印Ａ５１ａ〜Ａ５１ｅに示すように、スロット１，３，４，８，９において親機にアクセスし、ダウンリンク信号を受信している。また、親機の配下にある中継器２は、図１５の矢印Ａ５２ａ〜Ａ５２ｃに示すように、スロット２，５，１１において親機にアクセスし、ダウンリンク信号を受信している。従って、親機の通知１のスロット１〜５，８，９，１１は、ブラインドされている。
【０１３６】
中継器１は、中継器１における使用中のスロットの情報と、アクセス制限するスロットの情報とを含む通知１を生成する。例えば、中継器１は、中継器１の空きスロットと、中継器１の上流側の親機の空きスロットとが一致するスロットをブラインド（アクセス制限）し、また、使用中のスロットをブラインド（アクセス禁止）した通知１を生成する。より具体的には、中継器１では、スロット０，３，６，７，９，１０が空きスロットである。親機では、スロット０，６，７，１０が空きスロットである。従って、中継器１は、矢印Ａ４２の通知１に示すように、スロット０，６，７，１０をアクセス制限した通知１を生成する。
【０１３７】
なお、中継器１は、親機から通知１を受信する。従って、中継器１は、親機１における空きスロットの情報を取得できる。また、中継器１は、図１５の矢印Ａ５２ａ〜５２ｃに示すように、スロット２，５，１１において親機にアクセス要求をし、ダウンリンク信号を受信している。従って、中継器１の通知１のスロット２，５，１１は、ブラインドされている。また、中継器１の配下にある子機６は、図１５の矢印Ａ５３ａに示すように、スロット１において中継器１にアクセス要求をし、ダウンリンク信号を受信している。従って、中継器１の通知１のスロット１は、ブラインドされている。また、中継器１の配下にある中継器２は、図１５の矢印Ａ５４ａ，５４ｂに示すように、スロット４，８において中継器１にアクセス要求をし、ダウンリンク信号を受信している。従って、中継器１の通知１のスロット４，８は、ブラインドされている。
【０１３８】
中継器２は、中継器２における使用中のスロットの情報と、アクセス制限するスロットの情報とを含む通知１を生成する。例えば、中継器２は、中継器２の空きスロットと、中継器２の上流側の中継器１の空きスロットとが一致するスロットをブラインドし、また、使用中のスロットをブラインドした通知１を生成する。より具体的には、中継器２では、スロット１〜３，５〜７，９，１１が空きスロットである。中継器２の上流側の中継器１では、スロット３，９が空きスロットである。従って、中継器２は、矢印Ａ４３の通知１に示すように、スロット３，９をアクセス制限した通知１を生成する。
【０１３９】
なお、中継器２は、中継器１から通知１を受信する。従って、中継器１は、中継器１における空きスロットの情報を取得できる。また、中継器２は、図１５の矢印Ａ５４ａ，５４ｂに示すように、スロット４，８において上流側の中継器１にアクセス要求をし、ダウンリンク信号を受信している。従って、中継器２の通知１のスロット４，８は、ブラインドされている。また、中継器２の配下にある子機７は、図１５の矢印Ａ５５に示すように、スロット０において中継器２にアクセス要求をし、ダウンリンク信号を受信している。従って、中継器２の通知１のスロット０は、ブラインドされている。また、中継器２の配下にある中継器３は、図１５の矢印Ａ５６に示すように、スロット１０において中継器２にアクセス要求をし、ダウンリンク信号を受信している。従って、中継器２の通知１のスロット１０は、ブラインドされている。
【０１４０】
中継器３は、中継器３における使用中のスロットの情報と、アクセス制限するスロットの情報とを含む通知１を生成する。例えば、中継器３は、中継器３の空きスロットと、中継器３の上流側の中継器２の空きスロットとが一致するスロットをブラインドし、また、使用中のスロットをブラインドした通知１を生成する。より具体的には、中継器３では、スロット０〜２，４〜９，１１が空きスロットである。中継器３の上流側の中継器２では、スロット１，２，５〜７，１１が空きスロットである。従って、中継器３は、矢印Ａ４４の通知１に示すように、スロット１，２，５〜７，１１をアクセス制限した通知１を生成する。
【０１４１】
なお、中継器３は、中継器２から通知１を受信する。従って、中継器３は、中継器２における空きスロットの情報を取得できる。また、中継器３は、図１５の矢印Ａ５６に示すように、スロット１０において上流側の中継器２にアクセス要求をし、ダウンリンク信号を受信している。従って、中継器３の通知１のスロット１０は、ブラインドされている。また、中継器２の配下にある子機８は、図１５の矢印Ａ５７に示すように、スロット３において中継器３にアクセスし、ダウンリンク信号を受信している。従って、中継器３の通知１のスロット３は、ブラインドされている。
【０１４２】
中継器１〜３は、第１の実施の形態および第２の実施の形態と同様に、空きスロットが無くなった場合、アクセス制限を解除してもよい。例えば、中継器１において、スロット３，９も使用中となった場合、中継器１は、アクセス制限したスロット０，６，７，１０を解除してもよい。
【０１４３】
図１６は、親機および中継器のアクセス制限の一例を説明する図である。図１６のレベル０に示すように、親機および中継器は、使用中のスロットの情報を、通知１を用いて配下の子機および中継器に通知する。
【０１４４】
また、図１６のレベル１に示すように、中継器は、アクセス制限したスロットの情報を、通知１を用いて配下の子機および中継器に通知する。例えば、中継器は、中継器における空きスロットと、上位装置（親機または上流側の中継器）の空きスロットとが一致するスロットの使用を制限した情報を、通知１を用いて配下の子機および中継器に通知する。
【０１４５】
中継器は通常、レベル０およびレベル１で運用している。例えば、中継器は、使用中のスロットの情報と、アクセス制限したスロットの情報とを含む通知１を、配下の子機および中継器に通知する。
【０１４６】
中継器は、空きスロットが無くなると、レベル１の制限を解除する。すなわち、中継器は、使用中のスロットの情報を含む通知１を、配下の子機および中継器に通知する。
【０１４７】
以上説明したように、中継器の制御部は、配下にあるコードレス電話機および配下にある中継器がアクセスできるスロットを示した通知１を生成する。その際、中継器の制御部は、中継器がベースユニットと通信を行う場合、ベースユニット１と中継器との双方において空いている第１の空きスロットへのアクセスを制限した通知１を生成する。また、中継器の制御部は、中継器が上流側の中継器と通信を行う場合、上流側の中継器と中継器との双方において空いている第２の空きスロットへのアクセスを制限した通知１を生成する。これにより、コードレス電話システムは、コードレス電話機の通話チャネル数の低減を抑制できる。
【０１４８】
なお、上記では、ダウンリンクの例について説明したが、アップリンクの場合も同様である。
【０１４９】
また、第３の実施の形態では、フレームがフルスロット（Full Slot）の場合について説明したが、ロングスロット（Long Slot）およびハーフスロット（Half Slot）においても、本開示を適用できる。
【０１５０】
（第４の実施の形態）
第４の実施の形態では、ベースユニットが２つの無線部を備える。これにより、ベースユニットは、通信チャネル数を増加させる。
【０１５１】
図１７は、第４の実施の形態に係るコードレス電話システムの構成例を示した図である。図１７に示すように、コードレス電話システムは、ベースユニット６１と、コードレス電話機６２ａ，６２ｂと、を有している。コードレス電話システムは、例えば、オフィスや住宅などに設置される。
【０１５２】
ベースユニット６１およびコードレス電話機６２ａ，６２ｂは、ＤＥＣＴ方式に準拠したＴＤＭＡ方式の無線通信を行う。ベースユニット６１およびコードレス電話機６２ａ，６２ｂは、例えば、１．８ＧＨｚ帯の電波または１．９ＧＨｚ帯の電波を用いて、無線通信を行う。
【０１５３】
ベースユニット６１は、ＥｔｈｅｒｎｅｔまたはＰＳＴＮを介して、交換機またはサーバ（図示せず）に接続されている。コードレス電話機６２ａ，６２ｂは、ベースユニット６１を介して、他の電話機と通話できる。
【０１５４】
ベースユニット６１は、２つの無線部を備えている。２つの無線部のそれぞれは、異なる周波数を用いて、コードレス電話機６２ａ，６２ｂと無線通信を行う。これにより、ベースユニット６１は、例えば、通信チャネル数を倍増させる。
【０１５５】
なお、図１７には、ベースユニット６１と無線通信するコードレス電話機として、２台のコードレス電話機６２ａ，６２ｂしか示していないが、３台以上存在してもよい。また、ベースユニット６１は、１台のコードレス電話機と無線通信してもよい。
【０１５６】
図１８は、ベースユニット６１のブロック構成例を示した図である。ベースユニット６１は、制御部７１と、無線部７２ａ，７２ｂと、インタフェース部７３と、を有している。
【０１５７】
制御部７１は、ベースユニット６１全体を制御する。また、制御部７１は、ベースバンド処理を行う。制御部７１は、例えば、ＣＰＵおよびＤＳＰのいずれか一方または両方で構成されてもよい。制御部７１は、メインプロセッサ・ベースバンド部と呼ばれてもよい。
【０１５８】
無線部７２ａ，７２ｂは、図６で説明した無線部１２と同様の機能を有している。ただし、無線部７２ａ，７２ｂのそれぞれは、異なるチャネルを用いて（チャネルが重ならないように）、コードレス電話機６２ａ，６２ｂと無線通信を行う。
【０１５９】
インタフェース部７３は、図６で説明したインタフェース部７３と同様の機能を有しており、その説明を省略する。
【０１６０】
図１９は、ベースユニット６１の制御部７１のブロック構成例を示した図である。図１９に示すように、ベースユニット６１の制御部７１は、コーデック部８１と、変調部８２と、管理部８３と、生成部８４と、復調部８５と、誤り検出部８６と、記憶部８７と、を有している。
【０１６１】
コーデック部８１、変調部８２、復調部８５、誤り検出部８６、および記憶部８７は、図６で説明したコーデック部２１、変調部２２、復調部２４、誤り検出部２５、および記憶部２６と同様であり、その説明を省略する。
【０１６２】
管理部８３は、各スロットの各周波数における状態を示したチャネルリストを管理する。チャネルリストは、記憶部８７に記憶されている。チャネルリストには、例えば、各スロットの各周波数におけるノイズの有無の情報および各スロットの各周波数における使用の有無の情報等が含まれる。管理部８３は、コードレス電話機６２ａ，６２ｂからアクセス要求があると、管理しているチャネルリストを参照し、アクセス要求を受け付けるか否かを判定する。
【０１６３】
また、管理部８３は、コードレス電話機６２ａ，６２ｂの送信電力を制御する。
【０１６４】
生成部８４は、チャネルリストを参照し、スロット情報（ブラインドスロット情報）を生成する。スロット情報は、ベースユニット６１の配下にあるコードレス電話機６２ａ，６２ｂに送信される。
【０１６５】
図２０は、図１７のコードレス電話システムにおけるＤＥＣＴ方式のフレーム構成例を示した図である。図２０に示す子機１は、図１７に示したコードレス電話機６２ａに対応する。図２０に示す子機２は、図１７に示したコードレス電話機６２ｂに対応する。図２０に示す親機は、図１７に示したベースユニット６１に対応する。図２０に示す無線部１は、図１８に示した無線部７２ａに対応する。図２０に示す無線部２は、図１８に示した無線部７２ｂに対応する。
【０１６６】
図２０には、１０ｍｓの１フレームが示してある。１０ｍｓの１フレームは、５ｍｓのダウンリンクのフレームと、５ｍｓのアップリンクのフレームとに分けられる。ダウンリンクのフレームには、スロット０からスロット１１の１２個のタイムスロットが含まれ、アップリンクのフレームには、スロット１２からスロット２３の１２個のタイムスロットが含まれる。
【０１６７】
親機は、２つの無線部１，２を備える。従って、親機は、子機１，２に対し、同じ時間領域のスロットにおいて、ダウンリンク信号を送信できる。例えば、親機は、子機１に対し、無線部１を用いて、スロット２においてダウンリンク信号を送信する。また、親機は、子機２に対し、無線部２を用いて、スロット２においてダウンリンク信号を送信する。ただし、無線部１，２は、異なるチャネルを用いて、ダウンリンク信号を子機１，２に送信する。
【０１６８】
アップリンクも同様に、親機は、子機１，２から、同じ時間領域のスロットにおいて、アップリンク信号を受信できる。例えば、親機は、無線部１を用いて、子機１から、スロット１４においてアップリンク信号を受信する。また、親機は、無線部２を用いて、子機２から、スロット１４においてアップリンク信号を受信する。
【０１６９】
このように、親機は、２つの無線部１，２を用いて、同じ時間領域のスロットにおいて、信号を送信または受信する。これにより、親機は、例えば、無線部が１つの場合より、子機の最大収容台数を２倍にすることができる。
【０１７０】
無線部１，２は、共通のビットカウンタおよびフレームカウンタを用いて動作する。これにより、無線部１，２は、各々のスロットのタイミングを揃える。従って、無線部１，２は、互いのダウンリンク信号の送信タイミングを合わせることができ、また、互いのアップリンク信号の受信タイミングを合わせることができる。つまり、無線部１，２は、例えば、一方が信号を受信し、他方が信号を送信することを回避し、内部での信号干渉を抑制する。
【０１７１】
以下では、ベースユニット６１を親機と呼ぶことがある。コードレス電話機６２ａを子機１と呼び、コードレス電話機６２ｂを子機２と呼ぶことがある。無線部７２ａを無線部１と呼び、無線部７２ｂを無線部２と呼ぶことがある。
【０１７２】
図２１は、ダウンリンクにおけるチャネルリストの例を説明する図である。図２１に示すチャネルリストは、記憶部８７に記憶されている。管理部８３は、記憶部８７において、チャネルリストを管理する。
【０１７３】
図２１に示す「使用中」は、無線部１，２によって使用されているスロットを示す。別言すれば、「使用中」は、子機１，２によって使用中のスロットを示す。例えば、図２１の例の場合、スロット２は、２つの無線部１，２によって使用されている。スロット４は、１つの無線部１によって使用されている。スロット６は、１つの無線部２によって使用されている。スロット８は、２つの無線部１，２によって使用されている。
【０１７４】
図２１に示す周波数０〜９は、２つの無線部１，２において使用される周波数を示す。無線部１，２のそれぞれは、１つのスロットにおいて、周波数０〜９の１０個の周波数のうちの１つの周波数を用いて、配下の子機１，２と通信できる。すなわち、親機は、１つのスロットにおいて、周波数０〜９の１０個の周波数のうち、最大２つの周波数を用いて、配下の子機１，２と通信できる。別言すれば、最大２台の子機が、１つのスロットに対しアクセスできる。
【０１７５】
図２１に示す「ノイズ」は、無線部１，２が受信する信号のレベルが所定閾値を超えたチャネルを示す。例えば、管理部８３は、無線部１，２が受信する信号をチャネルごとに監視し、監視するチャネルの信号の大きさ（例えば、受信電力）が所定閾値を超えたか否かを判定する。
【０１７６】
管理部８３は、監視するチャネルの信号の大きさが所定閾値を超えた場合、そのチャネルをノイズチャネル（ビジー）として扱う。すなわち、管理部８３は、本来信号を受信しないスロットのチャネルにおいて、所定閾値を超えた信号を受信した場合、その信号を受信したスロットのチャネルをノイズチャネルとして扱う。
【０１７７】
管理部８３は、子機１，２から、ノイズチャネルに対しアクセス要求があった場合、子機１，２のアクセス要求を拒否する。例えば、管理部８３は、スロット０の周波数１において、子機１からアクセス要求を受ける。この場合、管理部８３は、スロット０の周波数１に対する子機１のアクセス要求を拒否する。なお、アクセス要求を拒否された子機１は、別のチャネルまたは別のスロットにおいて、アクセス要求をする。
【０１７８】
スロット情報について説明する。上記したように、親機の制御部７１（生成部８４）は、スロット情報を生成する。制御部７１は、無線部１，２の両方において使用されているスロットのアクセスを禁止し、無線部１，２のいずれか一方において使用されているスロットのアクセスを制限したスロット情報を生成する。すなわち、制御部７１は、既に他の通信で使用中（それ以上のアクセスは禁止）のスロットに加えて、子機の親機へのアクセスを制限するスロットの情報を、新たにブラインドとして設定する。
【０１７９】
例えば、図２１の例の場合、スロット２は、２つの無線部１，２によって使用されている。従って、制御部７１は、スロット２をブラインドする。また、スロット４は、１つの無線部１によって使用されている。従って、制御部７１は、スロット４をブラインドする。また、スロット６は、１つの無線部２によって使用されている。従って、制御部７１は、スロット６をブラインドする。スロット８は、２つの無線部１，２によって使用されている。従って、制御部７１は、スロット８をブラインドする。制御部７１は、生成したスロット情報を、無線部１，２のそれぞれを介して配下の子機１，２に送信する。
【０１８０】
子機１，２は、親機から送信されたスロット情報を受信する。子機１，２は、受信したスロット情報を参照し、ブラインドされていないスロット（空きスロット）の中から、通信に用いるスロットを選択する。図２１の例の場合、子機１，２は、空きスロットであるスロット０，１，３，５，７，９〜１１の中から、通信に用いるスロットを選択し、アクセス要求をする。
【０１８１】
子機１，２は、選択した空きスロットから、アクセス要求するチャネル（周波数０〜９）を選択する。親機の制御部７１（管理部８３）は、子機１，２がアクセス要求したチャネルがノイズチャネルである場合、子機１，２のアクセス要求を拒否する。アクセス要求が拒否された子機１，２は、例えば、拒否されたチャネルとは別のチャネルでアクセス要求をし、または、別のスロットでアクセス要求をする。
【０１８２】
親機の制御部７１（生成部８４）は、空きスロットが無くなった場合、１つの無線部１，２で使用されているスロットのアクセス制限を解除する。
【０１８３】
図２２は、アクセス制限の解除を説明する図である。図２２には、ダウンリンクにおけるチャネルリストが示してある。図２２の例では、スロット０〜３，５，７〜１１は、２つの無線部１，２の通信に使用されている。スロット４は、周波数２において、１つの無線部１の通信に使用されている。スロット６は、周波数８において、１つの無線部２の通信に使用されている。
【０１８４】
図２２の例の場合、スロット０〜１１の全ては、少なくとも１つの無線部１，２に使用されている。従って、図２２の例の場合、スロット０〜１１はブラインドされ、空きスロットが無い。
【０１８５】
親機の制御部７１は、空きスロットが無くなると、１つの無線部１，２に使用されているスロットのアクセス制限を解除する。例えば、制御部７１は、１つの無線部１に使用されているスロット４と、１つの無線部２に使用されているスロット６とのアクセス制限を解除する。これにより、子機１，２は、スロット４，６に対しアクセス要求ができる。なお、２つの無線部１，２によって使用されているスロット０〜３，５，７〜１１は、ブラインドされたままである。
【０１８６】
図２２に示す「禁止」は、子機１，２のアクセス要求を禁止したチャネルを示す。制御部７１は、子機１，２が「禁止」のチャネルにアクセス要求をした場合、子機１，２のアクセス要求を拒否する。
【０１８７】
制御部７１は、無線部１，２（子機１，２）によって使用されているチャネルと同一スロットで隣接する周波数（隣接チャネル）を「禁止」にする。例えば、スロット４の周波数２は、無線部１によって使用中である。従って、制御部７１は、使用中の周波数２の両隣の周波数１，３をアクセス禁止にする。また、スロット６の周波数８は、無線部２によって使用中である。従って、制御部７１は、使用中の周波数８の両隣の周波数７，９をアクセス禁止にする。このように、親機は、子機１，２が隣接チャネルにアクセスすることを抑制し、隣接チャネルによる信号の干渉を抑制する。
【０１８８】
なお、子機１，２は、スロット０〜３，５，７〜１１がブラインドされたスロット情報を受信する。子機１は、受信したスロット情報を参照し、例えば、スロット４においてアクセス要求をする（子機１は、無線部１，２を区別せず、スロット４に対しアクセス要求をする）。無線部１は、スロット４において使用中であるので、無線部２がスロット４のアクセス要求を受信する。
【０１８９】
制御部７１（管理部８３）は、子機１，２の送信電力制御を行ってもよい。
【０１９０】
図２３は、コードレス電話システムの構成例を示した図である。図２３において、図１７と同じものには同じ符号が付してある。図２３の例では、子機１（コードレス電話機６２ａ）は、子機２（コードレス電話機６２ｂ）より親機（ベースユニット６１）の近くに位置している。子機１と親機との距離を距離ｄ１とする。子機２と親機との距離を距離ｄ２（ｄ１＜ｄ２）とする。
【０１９１】
距離ｄ１と距離ｄ２との差が大きい場合、親機が子機１，２から受信する信号（アップリンク信号）の大きさの差が大きくなる場合がある。この場合、同じスロットにおいて子機１，２が使用する周波数が離れていても、受信電力の小さい信号は、受信電力の大きい信号から干渉を受ける場合がある。例えば、子機２の受信信号は、子機１の受信信号によって干渉を受ける場合がある。
【０１９２】
そこで、制御部７１は、無線部１，２によって受信される信号のレベル差が大きくなり過ぎないように、例えば、無線部１と通信する子機１の送信電力制御を行う。例えば、制御部７１は、子機１の送信電力を小さくなるように制御する。ただし、制御部７１は、子機１からの受信信号の受信電力が所定の閾値を下回らないように子機１の送信電力を制御する。
【０１９３】
制御部７１は、無線部１，２によって使用されている周波数の距離（周波数がどれだけ離れているいか）によって、子機１，２の送信電力を制御してもよい。例えば、制御部７１は、同一スロットにおいて、無線部１，２のチャネルが±２チャネル離れている場合、無線部１，２の受信電力の差が３０ｄＢ以内となるように、子機１の送信電力を制御する。また、制御部７１は、同一スロットにおいて、無線部１，２のチャネルが±３チャネル離れている場合、無線部１，２の受信電力の差が４０ｄＢ以内となるように、子機１の送信電力を制御する。また、制御部７１は、同一スロットにおいて、無線部１，２のチャネルが±４チャネル以上離れている場合、無線部１，２の受信電力の差が５０ｄＢ以内となるように、子機１の送信電力を制御する。
【０１９４】
より具体的には、図２２に示すように、無線部１（子機１）は、スロット４の周波数２を用いて通信する。この状態において、子機２は、スロット４の周波数０に対し、親機にアクセス要求をする。親機は、子機２のアクセス要求を受付け、無線部２のスロット４の周波数０において、子機２と通信を行う。この場合、子機１の周波数と、子機２の周波数との距離は「２」であり、制御部７１は、無線部１，２がスロット４において受信する２つの受信信号の受信電力を監視し、受信電力の差が３０ｄＢ以内となるように、子機１の送信電力を制御する。なお、チャネルは、「周波数と時間」を意味するが、文脈によっては周波数のみを意味することがある。
【０１９５】
以下、制御部７１の送信電力制御を、フローチャートを用いて説明する。その前に、フローチャートで使用するパラメータについて説明する。
【０１９６】
図２４は、電力制御の説明に用いるパラメータを示した図である。図２４に示すように、無線部１は、周波数「Ｆ１」を用いて子機１と通信する。無線部２は、周波数「Ｆ２」を用いて子機２と通信する。
【０１９７】
無線部１が受信する信号の受信電力（ＲＳＳＩ：Received Signal Strength Indication）を「Ｒ１」とする。無線部２が受信する信号の受信電力（ＲＳＳＩ：Received Signal Strength Indication）を「Ｒ２」とする。
【０１９８】
無線部１，２が受信する信号の、受信電力における上限値（受信電力上側閾値）を「Ｒｈｉｇｈ」とする。無線部１，２が受信する信号の、受信電力における下限値（受信電力下側閾値）を「Ｒｌｏｗ」とする。
【０１９９】
子機１が送信する信号の送信電力（送信出力）を「Ｐ１」とする。子機２が送信する信号の送信電力（送信出力）を「Ｐ２」とする。
【０２００】
子機１が送信する信号の、送信電力における上限値（送信出力最大値）を「Ｐｍａｘ」とする。子機２が送信する信号の、送信電力における下限値（送信出力最小値）を「Ｐｍｉｎ」とする。
【０２０１】
図２５Ａおよび図２５Ｂは、制御部７１の子機１に対する送信電力制御の一例を示したフローチャートである。制御部７１は、例えば、１フレームごとに図２５に示すフローチャートの処理を実行する。子機１の送信電力「Ｐ１」の初期値（通話開始時の値）は、例えば、送信出力最大値「Ｐｍａｘ」である。
【０２０２】
制御部７１は、無線部１から、子機１が送信した信号の受信電力「Ｒ１」を取得する。また、制御部７１は、無線部２から、子機２が同じスロットにおいて送信した信号の受信電力「Ｒ２」を取得する（ステップＳ１）。
【０２０３】
制御部７１は、ステップＳ１にて取得した無線部１の受信電力「Ｒ１」が、受信電力下側閾値「Ｒｌｏｗ」より小さいか否かを判定する（ステップＳ２）。
【０２０４】
制御部７１は、ステップＳ２において、無線部１の受信電力「Ｒ１」が、受信電力下側閾値「Ｒｌｏｗ」より小さいと判定をした場合（Ｓ２の「Ｙｅｓ」）、子機１に対し、送信電力「Ｐ１」を送信出力最大値「Ｐｍａｘ」にするよう指示する（ステップＳ３）。制御部７１は、ステップＳ３の処理後、処理をチャネル変更処理へ移行する（ステップＳ４）。制御部７１は、チャネル変更処理後、当該フローチャートの処理を終了する。ステップＳ４のチャネル変更処理については、以下で詳述する。
【０２０５】
制御部７１は、ステップＳ２において、無線部１の受信電力「Ｒ１」が、受信電力下側閾値「Ｒｌｏｗ」より小さいと判定をしない場合（Ｓ２の「Ｎｏ」）、無線部１の受信電力「Ｒ１」が、無線部２の受信電力「Ｒ２」より大きいか否かを判定する（ステップＳ５）。
【０２０６】
制御部７１は、ステップＳ５において、無線部１の受信電力「Ｒ１」が、無線部２の受信電力「Ｒ２」より大きいと判定をしない場合（Ｓ５の「Ｎｏ」）、無線部１の受信電力「Ｒ１」が、受信電力上側閾値「Ｒｈｉｇｈ」より大きいか否かを判定する（ステップＳ６）。
【０２０７】
制御部７１は、ステップＳ６において、無線部１の受信電力「Ｒ１」が、受信電力上側閾値「Ｒｈｉｇｈ」より大きいと判定をした場合（Ｓ６の「Ｙｅｓ」）、子機１に対し、送信電力「Ｐ１」を送信出力最小値「Ｐｍｉｎ」にするよう指示する（ステップＳ７）。
【０２０８】
制御部７１は、ステップＳ６において、無線部１の受信電力「Ｒ１」が、受信電力上側閾値「Ｒｈｉｇｈ」より大きいと判定をしない場合（Ｓ６の「Ｎｏ」）、処理をステップＳ４へ移行する。
【０２０９】
制御部７１は、ステップＳ５において、無線部１の受信電力「Ｒ１」が、無線部２の受信電力「Ｒ２」より大きいと判定をした場合（Ｓ５の「Ｙｅｓ」）、子機１の周波数「Ｆ１」が、子機２の周波数「Ｆ２」と２チャネル離れているか否かを判定する（ステップＳ８）。
【０２１０】
制御部７１は、ステップＳ８において、子機１の周波数「Ｆ１」が、子機２の周波数「Ｆ２」と２チャネル離れていると判定をした場合（Ｓ８の「Ｙｅｓ」）、無線部１の受信電力「Ｒ１」が、無線部２の受信電力「Ｒ２」に「３０ｄＢ」を加算した値より大きいか否かを判定する（ステップＳ９）。
【０２１１】
制御部７１は、ステップＳ９において、無線部１の受信電力「Ｒ１」が、無線部２の受信電力「Ｒ２」に「３０ｄＢ」を加算した値より大きいと判定をした場合（Ｓ９の「Ｙｅｓ」）、子機１の送信電力「Ｐ１」が、子機１の送信出力最小値「Ｐｍｉｎ」に「１Ｓｔｅｐ」を加算した値より大きいか否かを判定する（ステップＳ１０）。「１Ｓｔｅｐ」は、予め決められた値である。
【０２１２】
制御部７１は、ステップＳ１０において、子機１の送信電力「Ｐ１」が、子機１の送信出力最小値「Ｐｍｉｎ」に「１Ｓｔｅｐ」を加算した値より大きいと判定をした場合（Ｓ１０の「Ｙｅｓ」）、子機１に対し、送信電力「Ｐ１」を、現在の送信電力「Ｐ１」から「１Ｓｔｅｐ」減算した値にするよう指示する（ステップＳ１１）。そして、制御部７１は、処理をステップＳ４に移行する。また、制御部７１は、ステップＳ１０において、子機１の送信電力「Ｐ１」が、子機１の送信出力最小値「Ｐｍｉｎ」に「１Ｓｔｅｐ」を加算した値より大きいと判定をしない場合（Ｓ１０の「Ｎｏ」）、処理をステップＳ４に移行する。
【０２１３】
制御部７１は、ステップＳ９において、無線部１の受信電力「Ｒ１」が、無線部２の受信電力「Ｒ２」に「３０ｄＢ」を加算した値より大きいと判定をしない場合（Ｓ９の「Ｎｏ」）、無線部１の受信電力「Ｒ１」が、無線部２の受信電力「Ｒ２」に「３０ｄＢ」を加算して「１Ｓｔｅｐ」減算した値より小さいか否かを判定する（ステップＳ１２）。
【０２１４】
制御部７１は、ステップＳ１２において、無線部１の受信電力「Ｒ１」が、無線部２の受信電力「Ｒ２」に「３０ｄＢ」を加算して「１Ｓｔｅｐ」減算した値より小さいと判定をしない場合（Ｓ１２の「Ｎｏ」）、処理をステップＳ４に移行する。
【０２１５】
制御部７１は、ステップＳ１２において、無線部１の受信電力「Ｒ１」が、無線部２の受信電力「Ｒ２」に「３０ｄＢ」を加算して「１Ｓｔｅｐ」減算した値より小さいと判定をした場合（Ｓ１２の「Ｙｅｓ」）、子機１の送信電力「Ｐ１」が、子機１の送信出力最大値「Ｐｍａｘ」から「１Ｓｔｅｐ」減算した値より小さいか否かを判定する（ステップＳ１３）。
【０２１６】
制御部７１は、ステップＳ１３において、子機１の送信電力「Ｐ１」が、子機１の送信出力最大値「Ｐｍａｘ」から「１Ｓｔｅｐ」減算した値より小さいと判定をした場合（Ｓ１３の「Ｙｅｓ」）、子機１に対し、送信電力「Ｐ１」を、現在の送信電力「Ｐ１」から「１Ｓｔｅｐ」を加算した値にするよう指示する（ステップＳ１４）。そして、制御部７１は、処理をステップＳ４に移行する。また、制御部７１は、ステップＳ１３において、子機１の送信電力「Ｐ１」が、子機１の送信出力最大値「Ｐｍａｘ」から「１Ｓｔｅｐ」減算した値より小さいと判定をしない場合（Ｓ１３の「Ｎｏ」）、処理をステップＳ４に移行する。
【０２１７】
制御部７１は、ステップＳ８において、子機１の周波数「Ｆ１」が、子機２の周波数「Ｆ２」と２チャネル離れていると判定をしない場合（Ｓ８の「Ｎｏ」）、子機１の周波数「Ｆ１」が、子機２の周波数「Ｆ２」と３チャネル離れているか否かを判定する（ステップＳ１５）。
【０２１８】
制御部７１は、ステップＳ１５において、子機１の周波数「Ｆ１」が、子機２の周波数「Ｆ２」と３チャネル離れていると判定をした場合（Ｓ１５の「Ｙｅｓ」）、無線部１の受信電力「Ｒ１」が、無線部２の受信電力「Ｒ２」に「４０ｄＢ」を加算した値より大きいか否かを判定する（ステップＳ１６）。
【０２１９】
制御部７１は、ステップＳ１６において、無線部１の受信電力「Ｒ１」が、無線部２の受信電力「Ｒ２」に「４０ｄＢ」を加算した値より大きいと判定をした場合（Ｓ１６の「Ｙｅｓ」）、子機１の送信電力「Ｐ１」が、子機１の送信出力最小値「Ｐｍｉｎ」に「１Ｓｔｅｐ」を加算した値より大きいか否かを判定する（ステップＳ１７）。
【０２２０】
制御部７１は、ステップＳ１７において、子機１の送信電力「Ｐ１」が、子機１の送信出力最小値「Ｐｍｉｎ」に「１Ｓｔｅｐ」を加算した値より大きいと判定をした場合（Ｓ１７の「Ｙｅｓ」）、子機１に対し、送信電力「Ｐ１」を、現在の送信電力「Ｐ１」から「１Ｓｔｅｐ」減算した値にするよう指示する（ステップＳ１８）。そして、制御部７１は、処理をステップＳ４に移行する。また、制御部７１は、ステップＳ１７において、子機１の送信電力「Ｐ１」が、子機１の送信出力最小値「Ｐｍｉｎ」に「１Ｓｔｅｐ」を加算した値より大きいと判定をしない場合（Ｓ１７の「Ｎｏ」）、処理をステップＳ４に移行する。
【０２２１】
制御部７１は、ステップＳ１６において、無線部１の受信電力「Ｒ１」が、無線部２の受信電力「Ｒ２」に「４０ｄＢ」を加算した値より大きいと判定をしない場合（Ｓ１６の「Ｎｏ」）、無線部１の受信電力「Ｒ１」が、無線部２の受信電力「Ｒ２」に「４０ｄＢ」を加算して「１Ｓｔｅｐ」減算した値より小さいか否かを判定する（ステップＳ１９）。
【０２２２】
制御部７１は、ステップＳ１９において、無線部１の受信電力「Ｒ１」が、無線部２の受信電力「Ｒ２」に「４０ｄＢ」を加算して「１Ｓｔｅｐ」減算した値より小さいと判定をしない場合（Ｓ１９の「Ｎｏ」）、処理をステップＳ４に移行する。
【０２２３】
制御部７１は、ステップＳ１９において、無線部１の受信電力「Ｒ１」が、無線部２の受信電力「Ｒ２」に「４０ｄＢ」を加算して「１Ｓｔｅｐ」減算した値より小さいと判定をする場合（Ｓ１９の「Ｙｅｓ」）、子機１の送信電力「Ｐ１」が、子機１の送信出力最大値「Ｐｍａｘ」から「１Ｓｔｅｐ」減算した値より小さいか否かを判定する（ステップＳ２０）。
【０２２４】
制御部７１は、ステップＳ２０において、子機１の送信電力「Ｐ１」が、子機１の送信出力最大値「Ｐｍａｘ」から「１Ｓｔｅｐ」減算した値より小さいと判定をした場合（Ｓ２０の「Ｙｅｓ」）、子機１に対し、送信電力「Ｐ１」を、現在の送信電力「Ｐ１」から「１Ｓｔｅｐ」を加算した値にするよう指示する（ステップＳ２１）。そして、制御部７１は、処理をステップＳ４に移行する。また、制御部７１は、ステップＳ２０において、子機１の送信電力「Ｐ１」が、子機１の送信出力最大値「Ｐｍａｘ」から「１Ｓｔｅｐ」減算した値より小さいと判定をしない場合（Ｓ２０の「Ｎｏ」）、処理をステップＳ４に移行する。
【０２２５】
制御部７１は、ステップＳ１５において、子機１の周波数「Ｆ１」が、子機２の周波数「Ｆ２」と３チャネル離れていると判定をしない場合（Ｓ１５の「Ｎｏ」）、無線部１の受信電力「Ｒ１」が、無線部２の受信電力「Ｒ２」に「５０ｄＢ」を加算した値より大きいか否かを判定する（ステップＳ２２）。
【０２２６】
制御部７１は、ステップＳ２２において、無線部１の受信電力「Ｒ１」が、無線部２の受信電力「Ｒ２」に「５０ｄＢ」を加算した値より大きいと判定をした場合（Ｓ２２の「Ｙｅｓ」）、子機１の送信電力「Ｐ１」が、子機１の送信出力最小値「Ｐｍｉｎ」に「１Ｓｔｅｐ」を加算した値より大きいか否かを判定する（ステップＳ２３）。
【０２２７】
制御部７１は、ステップＳ２３において、子機１の送信電力「Ｐ１」が、子機１の送信出力最小値「Ｐｍｉｎ」に「１Ｓｔｅｐ」を加算した値より大きいと判定をした場合（Ｓ２３の「Ｙｅｓ」）、子機１に対し、送信電力「Ｐ１」を、現在の送信電力「Ｐ１」から「１Ｓｔｅｐ」減算した値にするよう指示する（ステップＳ２４）。そして、制御部７１は、処理をステップＳ４に移行する。また、制御部７１は、ステップＳ２３において、子機１の送信電力「Ｐ１」が、子機１の送信出力最小値「Ｐｍｉｎ」に「１Ｓｔｅｐ」を加算した値より大きいと判定をしない場合（Ｓ２３の「Ｎｏ」）、処理をステップＳ４に移行する。
【０２２８】
制御部７１は、ステップＳ２２において、無線部１の受信電力「Ｒ１」が、無線部２の受信電力「Ｒ２」に「５０ｄＢ」を加算した値より大きいと判定をしない場合（Ｓ２２の「Ｎｏ」）、無線部１の受信電力「Ｒ１」が、無線部２の受信電力「Ｒ２」に「５０ｄＢ」を加算して「１Ｓｔｅｐ」減算した値より小さいか否かを判定する（ステップＳ２５）。
【０２２９】
制御部７１は、ステップＳ２５において、無線部１の受信電力「Ｒ１」が、無線部２の受信電力「Ｒ２」に「５０ｄＢ」を加算して「１Ｓｔｅｐ」減算した値より小さいと判定をする場合（Ｓ２５の「Ｙｅｓ」）、子機１の送信電力「Ｐ１」が、子機１の送信出力最大値「Ｐｍａｘ」から「１Ｓｔｅｐ」減算した値より小さいか否かを判定する（ステップＳ２６）。
【０２３０】
制御部７１は、ステップＳ２６において、子機１の送信電力「Ｐ１」が、子機１の送信出力最大値「Ｐｍａｘ」から「１Ｓｔｅｐ」減算した値より小さいと判定をした場合（Ｓ２６の「Ｙｅｓ」）、子機１に対し、送信電力「Ｐ１」を、現在の送信電力「Ｐ１」から「１Ｓｔｅｐ」を加算した値にするよう指示する（ステップＳ２７）。そして、制御部７１は、処理をステップＳ４に移行する。また、制御部７１は、ステップＳ２６において、子機１の送信電力「Ｐ１」が、子機１の送信出力最大値「Ｐｍａｘ」から「１Ｓｔｅｐ」減算した値より小さいと判定をしない場合（Ｓ２６の「Ｎｏ」）、処理をステップＳ４に移行する。
【０２３１】
ステップＳ４のチャネル変更処理を、フローチャートを用いて説明する。その前に、チャネル変更処理のフローチャートで使用するパラメータについて説明する。
【０２３２】
図２６は、チャネル変更処理の説明に用いるパラメータを示した図である。図２６に示すように、無線部１は、周波数「Ｆ１」を用いて子機１と通信する。無線部２は、周波数「Ｆ２」を用いて子機２と通信する。
【０２３３】
無線部１のフレームエラーカウント値を「Ｎ１」とする。無線部２のフレームエラーカウント値を「Ｎ２」とする。フレームエラーカウント値「Ｎ１」および「Ｎ２」は、無線部１，２で発生したフレームエラーの数を示す。無線部１，２のフレームエラー閾値（フレームエラーカウント値の上限値）をＮｍａｘとする。
【０２３４】
子機１のフレームエラーカウント値を「Ｍ１」とする。子機２のフレームエラーカウント値を「Ｍ２」とする。フレームエラーカウント値「Ｍ１」および「Ｍ２」は、子機１，２で発生したフレームエラーの数を示す。子機１，２のフレームエラー閾値（フレームエラーカウント値の上限値）をＭｍａｘとする。
【０２３５】
図２７は、チャネル変更処理の一例を示したフローチャートである。制御部７１は、子機１の送信電力制御を行った結果、フレームエラーが所定の閾値（フレームエラー閾値）を超えた場合、子機１に対し、チャネルの切替えを指示する。無線部１のフレームエラーカウント値「Ｎ１」および子機１のフレームエラーカウント値「Ｍ１」の初期値（通話開始時の値）は、例えば、「０」である。
【０２３６】
制御部７１は、無線部１から、無線部１におけるフレームエラーを取得する。また、制御部７１は、子機１から、子機１におけるフレームエラーを受信する（ステップＳ３１）。
【０２３７】
制御部７１は、無線部１においてフレームエラーが発生したか否かを判定する（ステップＳ３２）。
【０２３８】
制御部７１は、ステップＳ３２において、フレームエラーが発生したと判定をした場合（Ｓ３２の「Ｙｅｓ」）、無線部１のフレームエラーカウント値「Ｎ１」に「１」を加算する（ステップＳ３３）。そして、制御部７１は、処理をステップＳ３５に移行する。
【０２３９】
制御部７１は、ステップＳ３２において、フレームエラーが発生したと判定をしない場合（Ｓ３２の「Ｎｏ」）、無線部１のフレームエラーカウント値「Ｎ１」から「１」を減算する（ステップＳ３４）。
【０２４０】
制御部７１は、無線部１のフレームエラーカウント値「Ｎ１」が、無線部１のフレームエラー閾値「Ｎｍａｘ」以上であるか否かを判定する（ステップＳ３５）。
【０２４１】
制御部７１は、ステップＳ３５において、無線部１のフレームエラーカウント値「Ｎ１」が、無線部１のフレームエラー閾値「Ｎｍａｘ」以上であると判定した場合（Ｓ３５の「Ｙｅｓ」）、子機１のフレームエラーカウント値「Ｍ１」および無線部１のフレームエラーカウント値「Ｎ１」を「０」にする。また、制御部７１は、子機１に対し、チャネル変更を指示する（ステップＳ３６）。なお、子機１は、制御部７１からのチャネル変更の指示を受けて、チャネル変更したアクセス要求を親機に対し行う。
【０２４２】
制御部７１は、ステップＳ３５において、無線部１のフレームエラーカウント値「Ｎ１」が、無線部１のフレームエラー閾値「Ｎｍａｘ」以上であると判定しない場合（Ｓ３５の「Ｎｏ」）、子機１においてフレームエラーが発生したか否かを判定する（ステップＳ３７）。
【０２４３】
制御部７１は、ステップＳ３７において、フレームエラーが発生したと判定をした場合（Ｓ３７の「Ｙｅｓ」）、子機１のフレームエラーカウント値「Ｍ１」に「１」を加算する（ステップＳ３８）。そして、制御部７１は、処理をステップＳ４０に移行する。
【０２４４】
制御部７１は、ステップＳ３７において、フレームエラーが発生したと判定をしない場合（Ｓ３７の「Ｎｏ」）、子機１のフレームエラーカウント値「Ｍ１」から「１」を減算する（ステップＳ３９）。
【０２４５】
制御部７１は、子機１のフレームエラーカウント値「Ｍ１」が、子機１のフレームエラー閾値「Ｍｍａｘ」以上であるか否かを判定する（ステップＳ４０）。
【０２４６】
制御部７１は、ステップＳ４０において、子機１のフレームエラーカウント値「Ｍ１」が、子機１のフレームエラー閾値「Ｍｍａｘ」以上であると判定した場合（Ｓ４０の「Ｙｅｓ」）、処理をステップＳ３６に移行する。そして、当該フローチャートの処理を終了する。
【０２４７】
制御部７１は、ステップＳ４０において、子機１のフレームエラーカウント値「Ｍ１」が、子機１のフレームエラー閾値「Ｍｍａｘ」以上であると判定しない場合（Ｓ４０の「Ｎｏ」）、当該フローチャートの処理を終了する。
【０２４８】
上記の図２５Ａおよび図２５Ｂでは、無線部１と通信する子機１の送信電力を制御したが、無線部２と通信する子機２の送信電力を制御してもよい。また、図２７では、無線部１および子機１のフレームエラーを監視し、子機１のチャネルを変更したが、子機２のチャネルを変更してもよい。
【０２４９】
以上説明したように、ベースユニット６１は、異なる周波数でベースユニット６１の配下の装置と通信を行う無線部７２ａ，７２ｂと、当該ベースユニット６１の配下の装置に送信され、当該ベースユニットにアクセスできるスロットを示したスロット情報を生成する制御部７１と、を備える。制御部７１は、無線部７２ａ，７２ｂの少なくとも１つにおいて使用されているスロットのアクセスを禁止したスロット情報を生成する。これにより、ベースユニット６１は、通信チャネル数を増加させることができる。
【０２５０】
なお、上記では、ダウンリンクの例について説明したが、アップリンクの場合も同様である。
【０２５１】
また、上記では、フレームがフルスロットの場合について説明したが、ロングスロットおよびハーフスロットにおいても、本開示を適用できる。
【０２５２】
（第５の実施の形態）
第５の実施の形態では、第４の実施の形態で説明したコードレス電話システムにおいて、中継器が配置される場合について説明する。
【０２５３】
図２８は、第５の実施の形態に係るコードレス電話システムの構成例を示した図である。図２８において、図１７および図１８と同じものには同じ符号が付してある。図２８では、ベースユニット６１の配下に中継器９０が配置されている。子機６２ａ，６２ｂは、中継器９０を介して、ベースユニット６１と通信する。
【０２５４】
図２８に示すように、中継器９０は、制御部９１と、無線部９１ａ，９１ｂと、を有している。無線部９１ａ，９１ｂは、図１８で説明した無線部７２ａ，７２ｂと同様の機能を有している。
【０２５５】
制御部９１は、子機６２ａ，６２ｂに対し、親機として機能する。従って、制御部９１は、図１８で説明した制御部７１と同様の機能を有し、また、図１９に示したブロック構成と同様のブロック構成を有する。また、制御部９１は、ベースユニット６１に対し、子機として機能する。
【０２５６】
以下では、ベースユニット６１を親機と呼ぶことがある。無線部７２ａを親機無線部１と呼び、無線部７２ｂを親機無線部２と呼ぶことがある。中継器９０を中継器と呼ぶことがある。無線部９１ａを中継器無線部１と呼び、無線部９１ｂを中継器無線部２と呼ぶことがある。コードレス電話機６２ａを子機１と呼び、コードレス電話機６２ｂを子機２と呼ぶことがある。
【０２５７】
図２９は、図２８のコードレス電話システムにおけるＤＥＣＴ方式のフレーム構成例を示した図である。上記したように、中継器は、子機として機能する場合があり、また、親機として機能する場合がある。例えば、図２９のスロット２，１４において、中継器は、親機に対し、子機として機能する。また、図２９のスロット３，１５において、中継器は、子機１，２に対し、親機として機能する。
【０２５８】
中継器無線部１，２は、共通のビットカウンタおよびフレームカウンタを用いて動作する。これにより、中継器無線部１，２は、各々のスロットのタイミングを揃える。従って、中継器無線部１，２は、互いのダウンリンク信号の送信タイミングを合わせることができ、また、互いのアップリンク信号の受信タイミングを合わせることができる。つまり、中継器無線部１，２は、例えば、一方が信号を受信し、他方が信号を送信することを回避し、内部での信号干渉を抑制する。
【０２５９】
図２８に示したコードレス電話システムにおいて、第１の実施の形態および第２の実施の形態で説明したアクセス制限を組み合わせてもよい。
【０２６０】
図３０は、親機および中継器のアクセス制限の一例を説明する図である。２つの無線部を備える親機は、第１の実施の形態および第２の実施の形態で説明したように、配下にある子機および中継器に対し、スロットのアクセス制限を行ってもよい。また、２つの無線部を備える中継器は、第１の実施の形態および第２の実施の形態で説明したように、配下にある子機および中継器に対し、スロットのアクセス制限を行ってもよい。図３０に示すレベル１は、図１３で説明したレベル１と同様であり、その説明を省略する。
【０２６１】
図３０のレベル０に示すように、親機および中継器は、２つの無線部の両方において使用されているスロットのアクセスを禁止したスロット情報を、通知１，２を用いて配下の子機および中継器に通知する。
【０２６２】
図３０のレベル２に示すように、親機および中継器は、２つの無線部のうちの１つによって使用されているスロットのアクセスを制限したスロット情報を、通知１，２を用いて配下の子機および中継器に通知する。
【０２６３】
親機および中継器は通常、レベル０、レベル１、およびレベル２で運用している。例えば、親機および中継器は、２つの無線部で使用されているスロットへのアクセスを禁止した情報と、偶数スロットおよび奇数スロットによってアクセス制限したスロットの情報と、１つの無線部で使用されているスロットへのアクセスを制限した情報と、を含む通知１，２を、配下の子機および中継器に通知する。
【０２６４】
親機および中継器は、レベル０、レベル１、およびレベル２の運用において、空きスロットが無くなると、レベル２の制限を解除する。すなわち、親機および中継器は、２つの無線部によって使用されているスロットへのアクセスを禁止した情報と、偶数スロットおよび奇数スロットによってアクセス制限したスロットの情報と、を含む通知１，２を、配下の子機および中継器に通知する。
【０２６５】
親機および中継器は、レベル０およびレベル１の運用において、空きスロットが無くなると、レベル１を解除する。すなわち、親機および中継器は、２つの無線部によって使用されているスロットへのアクセスを禁止した情報を含む通知１，２を、配下の子機および中継器に通知する。
【０２６６】
図２８に示したコードレス電話システムにおいて、第３の実施の形態で説明したアクセス制限を組み合わせてもよい。
【０２６７】
図３１は、親機および中継器のアクセス制限の一例を説明する図である。２つの無線部を備える親機は、第３の実施の形態で説明したように、配下にある子機および中継器に対し、スロットのアクセス制限を行ってもよい。また、２つの無線部を備える中継器は、第３の実施の形態で説明したように、配下にある子機および中継器に対し、スロットのアクセス制限を行ってもよい。図３１に示すレベル０，２は、図３０で説明したレベル０，２と同様であり、その説明を省略する。また、図３１に示すレベル１は、図１６で説明したレベル１と同様であり、その説明を省略する。
【０２６８】
親機および中継器は通常、レベル０、レベル１、およびレベル２で運用している。例えば、親機および中継器は、２つの無線部で使用されているスロットへのアクセスを禁止した情報と、中継器における空きスロットと上位装置（親機または上流側の中継器）の空きスロットとが一致するスロットの使用を制限した情報と、１つの無線部で使用されているスロットへのアクセスを制限した情報と、を含む通知１を、配下の子機および中継器に通知する。
【０２６９】
親機および中継器は、レベル０、レベル１、およびレベル２の運用において、空きスロットが無くなると、レベル２の制限を解除する。すなわち、親機および中継器は、２つの無線部で使用されているスロットへのアクセスを禁止した情報と、中継器における空きスロットと上位装置（親機または上流側の中継器）の空きスロットとが一致するスロットの使用を制限した情報と、を含む通知１を、配下の子機および中継器に通知する。
【０２７０】
親機および中継器は、レベル０およびレベル１の運用において、空きスロットが無くなると、レベル１を解除する。すなわち、親機および中継器は、２つの無線部で使用されているスロットへのアクセスを禁止した情報を含む通知１を、配下の子機および中継器に通知する。
【０２７１】
以上説明したように、２つの無線部を備える親機を含むコードレス電話システムは、２つの無線部を備える中継器を含むこともできる。これにより、コードレス電話システムは、通信チャネル数を増加できる。
【０２７２】
（第６の実施の形態）
第４の実施の形態および第５の実施の形態では、ベースユニット６１の１つの制御部７１が、１つのチャネルリストを管理し、２つの無線部７２ａ，７２ｂを制御した。第６の実施の形態では、２つの無線部のそれぞれに対し、２つの制御部を設ける。そして、２つの制御部のそれぞれは、個別のチャネルリストを管理する。
【０２７３】
図３２は、第６の実施の形態に係るベースユニット１００のブロック構成例を示した図である。図３２において、図１８と同じものには同じ符号が付してある。
【０２７４】
図３２に示すように、ベースユニット１００は、制御部１０１ａ，１０１ｂを有している。制御部１０１ａは、無線部７２ａに対応して設けられている。制御部１０１ｂは、無線部７２ｂに対応して設けられている。制御部１０１ａは、図１９に示したブロック構成と同様のブロック構成を有する。制御部１０１ｂは、図１９に示したブロック構成と同様のブロック構成を有する。
【０２７５】
制御部１０１ａは、無線部７２ａを介して行う通信のチャネルリストを管理する。制御部１０１ａが管理するチャネルリストには、例えば、無線部７２ａの各スロットの各チャネルにおけるノイズの有無の情報および各スロットの各周波数における使用の有無の情報等が含まれる。
【０２７６】
制御部１０１ｂは、無線部７２ｂを介して行う通信のチャネルリストを管理する。制御部１０１ｂが管理するチャネルリストには、例えば、無線部７２ｂの各スロットの各周波数におけるノイズの有無の情報および各スロットの各周波数における使用の有無の情報等が含まれる。すなわち、制御部１０１ａおよび制御部１０１ｂのそれぞれは、２つの無線部７２ａ，７２ｂのそれぞれにおけるチャネルリストを管理する。
【０２７７】
制御部１０１ａ，１０１ｂは、同期信号によって、ビット単位でフレームのタイミングおよびスーパーフレームのタイミングの同期をとる。
【０２７８】
図３３は、制御部１０１ａ，１０１ｂの同期を説明する図である。制御部１０１ａは、例えば、１０ｍｓごとにインタパルスを制御部１０１ｂに出力する。制御部１０１ｂは、制御部１０１ａから出力されるインタパルスに、ビットカウントの先頭を合わせる。これにより、制御部１０１ａおよび制御部１０１ｂは、ビットカウンタを合わせることができ、スロットを同期させることができる。
【０２７９】
制御部１０１ａは、例えば、１６０ｍｓごとにワイドパルスを制御部１０１ｂに出力する。制御部１０１ｂは、制御部１０１ａから出力されるワイドパルスに、ビットカウンタおよびフレームカウンタの先頭を合わせる。これにより、これにより、制御部１０１ａおよび制御部１０１ｂは、ビットカウンタおよびフレームカウンタを合わせることができ、フレームおよびスーパーフレームを同期させることができる。
【０２８０】
なお、同期信号は、制御部１０１ｂから制御部１０１ａに出力されてもよい。
【０２８１】
図３２の説明に戻る。制御部１０１ａおよび制御部１０１ｂは、制御信号によって、互いのチャネルリストを共有する。これにより、制御部１０１ａは、無線部７２ｂにおける通信のスロットおよびチャネルの状態を把握でき、制御部１０１ｂは、無線部７２ａにおける通信のスロットおよびチャネルの状態を把握できる。
【０２８２】
制御部１０１ａは、配下のコードレス電話機および中継器が、無線部７２ａにアクセスできるスロット情報（ブラインドスロット情報）を生成する。制御部１０１ｂは、配下のコードレス電話機および中継器が、無線部７２ｂにアクセスできるスロット情報を生成する。制御部１０１ａおよび制御部１０１ｂは、制御信号によって、互いのスロット情報を共有する。これにより、制御部１０１ａは、無線部７２ａ，７２ｂにおける通信のスロット情報を、無線部７２ａと通信するコードレス電話機に通知できる。また、制御部１０１ｂは、無線部７２ａ，７２ｂにおける通信のスロット情報を、無線部７２ｂと通信するコードレス電話機に通知できる。
【０２８３】
コードレス電話機は、無線部７２ａ，７２ｂを跨ったチャネル切替えを行う場合がある。例えば、無線部７２ｂと通信しているコードレス電話機は、無線部７２ａの空きスロットにアクセス要求をする場合がある。この場合、制御部１０１ａ，１０１ｂは、ハンドオーバ処理を行う。
【０２８４】
例えば、無線部７２ｂの配下にあるコードレス電話機（ハンドオーバするコードレス電話機）が、無線部７２ａの空きスロットにアクセス要求をした場合、制御部１０１ａは、ハンドオーバするコードレス電話機の情報（子機登録情報）を、制御信号によって、制御部１０１ｂから取得する。これにより、コードレス電話機は、無線部７２ａ，７２ｂを跨った通信が可能となる。例えば、制御部１０１ａは、インタフェース部７３を介して、ハンドオーバしたコードレス電話機の着信を受信する。制御部１０１ａは、子機登録情報に基づいて、無線部７２ａを介し、ハンドオーバしたコードレス電話機を呼び出すことができる。
【０２８５】
図３４は、中継器１１０のブロック構成例を示した図である。図３４において、図２８の中継器９０と同じものには同じ符号が付してある。
【０２８６】
図３４に示すように、中継器１１０は、制御部１１１ａ，１１１ｂを有している。制御部１１１ａは、無線部９１ａに対応して設けられている。制御部１１１ｂは、無線部９１ｂに対応して設けられている。
【０２８７】
制御部１１１ａ，１１１ｂは、配下にある子機に対し、親機として機能する。従って、制御部１１１ａ，１１１ｂは、図３２で説明した制御部１０１ａ，１０１ｂと同様の機能を有する。ただし、制御部１１１ａ，１１１ｂは、子機登録情報を管理しない。子機登録情報は、ベースユニット１００において管理される。また、制御部１１１ａ，１１１ｂは、ベースユニット１００に対し、子機として機能する。
【０２８８】
以上説明したように、制御部１０１ａ，１０１ｂのそれぞれは、無線部７２ａ，７２ｂのそれぞれに対応して設けられ、無線部７２ａ，７２ｂにおける通信のチャネルリストを管理する。また、制御部１０１ａ，１０１ｂのそれぞれは、無線部７２ａ，７２ｂのそれぞれにおける通信のスロット情報を生成する。そして、制御部１０１ａ，１０１ｂのそれぞれは、互いのチャネルリストおよびスロット情報を共有する。これにより、２つの無線部７２ａ，７２ｂを用いた無線通信が可能となる。また、制御部１０１ａ，１０１ｂのそれぞれは、例えば、従来の制御部において、互いのチャネルリストおよびスロット情報を共有するように設計変更すればよい。これにより、ベースユニット１００の開発コストを低減できる。
【０２８９】
また、中継器１１０においても同様に、制御部１１１ａ，１１１ｂのそれぞれは、例えば、従来の制御部において、互いのチャネルリストおよびスロット情報を共有するように設計変更すればよい。これにより、中継器１１０の開発コストを低減できる。
【０２９０】
（第７の実施の形態）
第６の実施の形態では、コードレス電話機は、２つの無線部を跨って通信（ハンドオーバ）した。第７の実施の形態では、コードレス電話機は、１つの無線部において通信し、別の通信部に跨った通信を行わない（ハンドオーバしない）。
【０２９１】
図３５は、第７の実施の形態に係るコードレス電話システムの一例を示した図である。図３５において、図３２および図３４と同じものには同じ符号が付してある。ただし、図３５に示す制御部１０１ａ，１０１ｂの機能は、図３２で説明した制御部１０１ａ，１０１ｂと異なる。図３５に示す制御部１０１ａ，１０１ｂは、制御部間で子機登録情報のやり取りを行わない（ハンドオーバ処理を行わない）。
【０２９２】
制御部１０１ａ，１０１ｂにおいて子機登録情報のやり取りを行わない場合、コードレス電話機が通信する無線部７２ａ，７２ｂ，９１ａ，９１ｂは固定される。例えば、コードレス電話システムを構築する際（初期設定の際）、第１のコードレス電話機の子機登録情報を、制御部１０１ａに登録する。この場合、第１のコードレス電話機は、無線部７２ａまたは無線部９１ａと通信し、無線部７２ｂ，９１ｂと通信しない。また、コードレス電話システムを構築する際、第２のコードレス電話機の子機登録情報を、制御部１０１ｂに登録する。この場合、第２のコードレス電話機は、無線部７２ｂまたは無線部９１ｂと通信し、無線部７２ａ，９１ａと通信しない。すなわち、コードレス電話機は、無線部７２ａおよび無線部７２ｂのいずれか一方と閉じた通信を行う。また、コードレス電話機は、無線部９１ａおよび無線部９１ｂのいずれか一方と閉じた通信を行う。
【０２９３】
このように、制御部１０１ａ，１０１ｂにおいて子機登録情報のやり取りを行わない場合、コードレス電話機をどのように登録するかが重要となる。例えば、無線部７２ａと通信できるコードレス電話機の数が、無線部７２ｂと通信できるコードレス電話機の数より多く登録された場合、無線部７２ａの通信における空きスロットは少なく、無線部７２ｂの通信における空きスロットが多くなる場合がある。無線部７２ａに対するアクセスが偏っているため、システム全体としては空きスロットがあるにも関わらす、コードレス電話機はアクセスできない場合がある。
【０２９４】
そこで、制御部１０１ａ，１０１ｂは、例えば、初期設定の際、子機登録情報を交互に受け付ける。例えば、制御部１０１ａは、奇数番目に登録されるコードレス電話機の子機登録情報を、制御部１０１ａの記憶部に記憶し、制御部１０１ｂは、偶数番目に登録されるコードレス電話機の子機登録情報を、制御部１０１ｂの記憶部に記憶する。
【０２９５】
より具体的には、ユーザは、１台目のコードレス電話機を操作して、１台目のコードレス電話機をベースユニット１００に登録する。この場合、制御部１０１ａが、１台目のコードレス電話機の子機登録情報を、制御部１０１ａの記憶部に記憶する。ユーザは、２台目のコードレス電話機を操作して、２台目のコードレス電話機をベースユニット１００に登録する。この場合、制御部１０１ｂが、２台目のコードレス電話機の子機登録情報を、制御部１０１ｂの記憶部に記憶する。
【０２９６】
以下では、ベースユニット１００を親機と呼ぶことがある。ベースユニット１００の無線部７２ａを親機無線部１と呼び、ベースユニット１００の無線部７２ｂを親機無線部２と呼ぶことがある。また、中継器１１０を中継器と呼ぶことがある。中継器１１０の無線部９１ａを中継器無線部１と呼び、中継器１１０の無線部９１ｂを中継器無線部２と呼ぶことがある。また、コードレス電話機を子機と呼ぶことがある。
【０２９７】
図３６は、子機の登録例を説明する図である。親機は、中継器無線部１が親機無線部１と通信するように、中継器登録情報を登録する。また、親機は、中継器無線部２が親機無線部２と通信するように、中継器登録情報を登録する。
【０２９８】
ユーザは、例えば、２４台の子機を操作し、コードレス電話システムに登録する。図３６に示す子機の番号は、コードレス電話システムに登録された順番を示す。親機の制御部１０１ａは、１台目の子機１の子機登録情報を、制御部１０１ａの記憶部に記憶する。親機の制御部１０１ｂは、２台目の子機２の子機登録情報を、制御部１０１ｂの記憶部に記憶する。以下同様に、親機の制御部１０１ａは、２３台目の子機２３の子機登録情報を、制御部１０１ａの記憶部に記憶し、親機の制御部１０１ｂは、２４台目の子機２４の子機登録情報を、制御部１０１ｂの記憶部に記憶する。これにより、奇数番目に登録された子機１，３，…，２３は、図３６の親機無線部１の欄の丸に示すように、親機無線部１と通信する。偶数番目に登録された子機２，４，…，２４は、図３６の親機無線部２の欄の丸に示すように、親機無線部２と通信する。
【０２９９】
ユーザは、２４台のうち１２台の子機をワイドエリア通信（中継器を介した通信）対応の子機に設定してもよい。ユーザによってワイドエリア通信に設定された子機は、中継器を介して、親機と通信できる。例えば、ユーザは、子機１〜１２を操作し、子機１〜１２をワイドエリア通信（中継器を介した通信）対応の子機に設定する。これにより、親機無線部１と通信する子機１，３，５，７，９，１１は、図３６の中継器無線部１の欄の丸に示すように、中継器無線部１を介して、親機と通信する。親機無線部２と通信する子機２，４，６，８，１０，１２は、図３６の中継器無線部２の欄の丸に示すように、中継器無線部２を介して、親機と通信する。
【０３００】
中継器における子機の最大収容数は１２台である（中継器無線部１において６台、中継器無線部２において６台）。図３６の例では、ワイドエリア通信対応の子機として、１２台の子機が設定されている。このように、ワイドエリア通信対応の子機を１２台に制限することによって、ワイドエリア通信対応の１２台の子機は、中継器経由の通信が保障される。
【０３０１】
図３７は、子機の登録例を説明する図である。図３７の例では、図３６の例に対し、２４台の子機が全てワイドエリア通信対応に設定されている。すなわち、奇数番目に登録された子機１，３，…，２３は、親機無線部１と直接通信し、また、中継器無線部１を介して、親機無線部１と通信できる。また、偶数番目に登録された子機２，４，…，２４は、親機無線部２と直接通信し、また、中継器無線部２を介して、親機無線部２と通信できる。
【０３０２】
上記したように、中継器における子機の最大収容数は１２台である。図３７の例では、ワイドエリア通信対応の子機として、２４台の子機が設定されている。従って、ワイドエリア通信対応の２４台の子機のうち１２台は、中継器を介して、親機と同時通話できない場合がある。
【０３０３】
以上説明したように、制御部１０１ａ，１０１ｂは、子機登録情報を交互に受け付ける。これにより、制御部１０１ａ，１０１ｂのハンドオーバ処理を不要にできる。
【０３０４】
（第８の実施の形態）
第４の実施の形態〜第７の実施の形態では、ベースユニットおよび中継器は、２つの無線部を備える。この場合、２つの無線部では、３次相互変調（ＩＭ３）と呼ばれるスプリアスが発生する場合がある。第８の実施の形態では、ＩＭ３のスプリアスの発生を抑制する。
【０３０５】
図３８は、無線部１２０，１３０のブロック構成例を示した図である。図３８に示すように、無線部１２０は、送信部１２１と、パワーアンプ１２２と、スイッチ１２３と、受信部１２４と、を有している。無線部１３０は、送信部１３１と、パワーアンプ１３２と、スイッチ１３３と、受信部１３４と、を有している。無線部１２０は、周波数ｆ１を用いて子機および中継器と通信し、無線部１３０は、周波数ｆ２を用いて子機および中継器と通信する。
【０３０６】
送信部１２１は、制御部（図示せず）から出力される信号をアップコンバートし、パワーアンプ１２２に出力する。パワーアンプ１２２は、送信部１２１から出力される信号を増幅し、スイッチ１２３に出力する。
【０３０７】
スイッチ１２３は、パワーアンプ１２２とアンテナおよび受信部１２４とアンテナとの接続を切替える。例えば、スイッチ１２３は、パワーアンプ１２２で増幅された信号をコードレス電話機および中継器に送信するとき、パワーアンプ１２２をアンテナに接続し、受信部１２４とアンテナとの接続を切断する。また、スイッチ１２３は、コードレス電話機および中継器から送信された信号を受信するとき、アンテナを受信部１２４に接続し、パワーアンプ１２２とアンテナとの接続を切断する。
【０３０８】
受信部１２４は、スイッチ１２３から出力される信号をダウンコンバートし、制御部に出力する。
【０３０９】
無線部１３０の送信部１３１、パワーアンプ１３２、スイッチ１３３、および受信部１３４は、無線部１２０の送信部１２１、パワーアンプ１２２、スイッチ１２３、および受信部１２４と同様であり、その説明を省略する。
【０３１０】
図３９は、スプリアスを説明する図である。無線部１２０が周波数ｆ１の信号を無線送信し、無線部１３０が周波数ｆ２の信号を無線送信すると、図３９に示すように、無線部１２０，１３０において、「２ｆ１−ｆ２」および「２ｆ２−ｆ２」のスプリアスが発生する。
【０３１１】
例えば、図３８の矢印Ａ６１ａに示すように、無線部１３０のアンテナから送信された周波数ｆ２の信号が、無線部１２０のアンテナ、スイッチ１２３、およびパワーアンプ１２２に流入する。無線部１２０に流入する周波数ｆ２の信号と、無線部１２０から出力される周波数ｆ１の信号とによって、無線部１２０のパワーアンプ１２２およびスイッチ１２３には、スプリアスが発生する。
【０３１２】
同様に、図３８の矢印Ａ６１ｂに示すように、無線部１２０のアンテナから送信された周波数ｆ１の信号が、無線部１３０のアンテナ、スイッチ１３３、およびパワーアンプ１３２に流入する。無線部１３０に流入する周波数ｆ１の信号と、無線部１３０から出力される周波数ｆ２の信号とによって、無線部１２０のパワーアンプ１２２およびスイッチ１２３には、スプリアスが発生する。
【０３１３】
無線部１２０から送信される信号は、スプリアスの信号が大きいと干渉を受ける。無線部１３０から送信される信号は、スプリアスの信号が大きいと干渉を受ける。また、スプリアスの信号が大きいと、他のＤＥＣＴ機器に干渉を与える恐れがあり、一般に各国では、電波法で最大スプリアスレベルが規制されている。そこで、無線部１２０は、パワーアンプ１２２とスイッチ１２３との間にアイソレータを備える。また、無線部１３０は、パワーアンプ１３２とスイッチ１３３との間にアイソレータを備える。
【０３１４】
図４０は、無線部１２０，１３０のブロック構成例を示した図である。図４０において、図３８と同じものには同じ符号が付してある。
【０３１５】
図４０に示すように、無線部１２０のパワーアンプ１２２とスイッチ１２３との間には、アイソレータ１２５が設けられている。無線部１３０のパワーアンプ１３２とスイッチ１３３との間には、アイソレータ１３５が設けられている。
【０３１６】
アイソレータ１２５は、スイッチ１２３からパワーアンプ１２２に流入する逆方向信号を抑制する。アイソレータ１３５は、スイッチ１３３からパワーアンプ１３２に流入する逆方向信号を抑制する。これにより、無線部１２０，１３０は、スプリアスを抑制する。
【０３１７】
ただし、ベースユニットの２つの無線部のアンテナ間の距離が小さいと、アンテナ間での信号の減衰量が小さくなり、アイソレータで十分なレベルまで抑制できないケースがある。また、スプリアスは、スイッチ１２３，１３３においても発生する。スイッチ１２３，１３３において発生するスプリアスは、アイソレータ１２５，１３５では抑制できない。
【０３１８】
そこで、無線部１２０，１３０は、図４０のアイソレータ１２５，１３５に加え、アンテナ間のロスを大きくし、スプリアスによる信号干渉を低減する。また、無線部１２０，１３０は、アンテナの指向性によりスプリアスによる信号干渉を低減する。
【０３１９】
図４１は、第８の実施の形態に係るベースユニット１４０の外観の一例を示した図である。図４１に示すように、ベースユニット１４０は、直方体形状の筐体を有している。また、ベースユニット１４０は、アンテナ１４１ａ，１４１ｂを有している。
【０３２０】
アンテナ１４１ａは、無線部１２０のスイッチ１２３に接続されている。アンテナ１４１ｂは、無線部１３０のスイッチ１３３に接続されている。
【０３２１】
アンテナ１４１ａ，１４１ｂは、できるだけ距離が離れるようにベースユニット１４０の筐体に設けられる。例えば、アンテナ１４１ａは、ベースユニット１４０の第１の側面１４２ａに設けられた場合、アンテナ１４１ｂは、第１の側面１４２ａと対向する第２の側面１４２ｂに設けられる。なお、第１の側面１４２ａと第２の側面１４２ｂとの距離は、第３の側面１４２ｃと第４の側面１４２ｄとの距離より大きい。
【０３２２】
アンテナ１４１ａ，１４１ｂは、アンテナ指向性において、互いに向き合う方向にヌル点が形成されるように設計されてもよい。
【０３２３】
図４２は、図４１のベースユニット１４０を上方から見た図である。図４２において、図４１と同じものには同じ符号が付してある。
【０３２４】
図４２には、アンテナ１４１ａのアンテナ指向性１５１ａと、アンテナ１４１ｂのアンテナ指向性１５１ｂとが示してある。アンテナ１４１ａは、アンテナ１４１ａからアンテナ１４１ｂに向かう方向Ａ７１ａにヌル点を有するように設計される。アンテナ１４１ｂは、アンテナ１４１ｂからアンテナ１４１ａに向かう方向Ａ７１ｂにヌル点を有するように設計される。
【０３２５】
以上説明したように、アンテナ１４１ａ，１４１ｂは、遠く離れるようにベースユニット１４０の筐体に設けられる。また、アンテナ１４１ａ，１４１ｂは、互いに向き合う方向にヌル点を有するように設計される。これにより、ベースユニット１４０は、スプリアスの発生を抑制できる。
【０３２６】
なお、上記では、ベースユニットについて説明したが中継器においても同様である。
【０３２７】
上記の実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０３２８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、又は、ＬＳＩ内部の回路セルの接続や設定を再構成可能なリコンフィギュラブル・プロセッサを利用してもよい。
【０３２９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０３３０】
本開示は、オフィスや住宅に設置されるコードレス電話システムに有用である。
【符号の説明】
【０３３１】
１，６１，１００，１４０  ベースユニット
２，５１，５２，９０，１１０  中継器
３，４，６２ａ，６２ｂ  コードレス電話機
１１，３１，７１，９１，１０１ａ，１０１ｂ，１１１ａ，１１１ｂ  制御部
１２，３２，７２ａ，７２ｂ，９１ａ，９１ｂ，１２０，１３０  無線部
１３，７３  インタフェース部
２１，８１  コーデック部
２２，８２  変調部
２３，４１，８４  生成部
２４，８５  復調部
２５，８６  誤り検出部
２６，４２，８７  記憶部
８３  管理部
１２１，１３１  送信部
１２２，１３２  パワーアンプ
１２３，１３３  スイッチ
１２４，１３４  受信部
１２５，１３５  アイソレータ
１４１ａ，１４１ｂ  アンテナ
【図１】
2020096237.tif 000003
【図２】
2020096237.tif 000004
【図３】
2020096237.tif 000005
【図４】
2020096237.tif 000006
【図５】
2020096237.tif 000007
【図６】
2020096237.tif 000008
【図７】
2020096237.tif 000009
【図８】
2020096237.tif 000010
【図９】
2020096237.tif 000011
【図１０】
2020096237.tif 000012
【図１１】
2020096237.tif 000013
【図１２】
2020096237.tif 000014
【図１３】
2020096237.tif 000015
【図１４】
2020096237.tif 000016
【図１５】
2020096237.tif 000017
【図１６】
2020096237.tif 000018
【図１７】
2020096237.tif 000019
【図１８】
2020096237.tif 000020
【図１９】
2020096237.tif 000021
【図２０】
2020096237.tif 000022
【図２１】
2020096237.tif 000023
【図２２】
2020096237.tif 000024
【図２３】
2020096237.tif 000025
【図２４】
2020096237.tif 000026
【図２５Ａ】
2020096237.tif 000027
【図２５Ｂ】
2020096237.tif 000028
【図２６】
2020096237.tif 000029
【図２７】
2020096237.tif 000030
【図２８】
2020096237.tif 000031
【図２９】
2020096237.tif 000032
【図３０】
2020096237.tif 000033
【図３１】
2020096237.tif 000034
【図３２】
2020096237.tif 000035
【図３３】
2020096237.tif 000036
【図３４】
2020096237.tif 000037
【図３５】
2020096237.tif 000038
【図３６】
2020096237.tif 000039
【図３７】
2020096237.tif 000040
【図３８】
2020096237.tif 000041
【図３９】
2020096237.tif 000042
【図４０】
2020096237.tif 000043
【図４１】
2020096237.tif 000044
【図４２】
2020096237.tif 000045